(57)【要約】      （修正有）【課題】結合の強さが、平面方向の動作のみならず、厚さ方向の動作にも強い角頂点保護を提供する。【解決手段】長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護において、Ｃ１面部Ｃ１とＣ２面部Ｃ２に、それぞれ切断線ＣＬ１と切断線ＣＬ２を設けて切欠部を切欠いてなると共に、それぞれ切込線Ｌ４と切込線Ｌ４’を設けてなり、切込線Ｌ４と切込線Ｌ４’は、直線又は曲線であり、左右対称である。【選択図】図１
0003205089.tif 000002
【実用新案登録請求の範囲】
【請求項１】
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることを特徴とする角頂点保護１００。
【請求項２】
Ａ面部ＡとＢ面部Ｂからなる面とＣ１面部Ｃ１とＣ２面部Ｃ２とからなる面を直角（９０°）になるよう山折り線ＢＬ１で折り曲げたことを特徴とする請求項１に記載された角頂点保護１００。
【請求項３】
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることを特徴とする請求項１〜２の何れかに記載された角頂点保護１００。
【請求項４】
Ａ面部ＡとＢ面部Ｂを山折り線ＢＬ２で角度θ°になるように折り曲げて、切込線Ｌ４と切込線Ｌ４’を交互に差込嵌合させて組み立てた場合、切込線Ｌ４と切込線Ｌ４’が重なり合うことを特徴とする請求項１〜３の何れかに記載された角頂点保護１００。
【請求項５】
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線２、切断線Ｌ２’が、それぞれ直線又は曲線であることを特徴とする請求項１〜４の何れかに記載された角頂点保護１００。
【請求項６】
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことを特徴とする請求項１〜５の何れかに記載された角頂点保護１００。
【請求項７】
切込線Ｌ４と切込線Ｌ４’が、共に点０を中心とする円弧であることを特徴とする請求項１〜６の何れかに記載された角頂点保護１００。
【請求項８】
切込線Ｌ４と切込線Ｌ４’が、共に直線であることを特徴とする請求項１〜７の何れかに記載された角頂点保護１００。
【請求項９】
角度θが９０°であることを特徴とする請求項１〜８の何れかに記載された角頂点保護１００。
【請求項１０】
厚板紙、段ボール、合成樹脂板等の板状シートの材料により構成されることを特徴とする請求項１〜２の何れかに記載された角頂点保護１００である。
【請求項１１】
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することを特徴とする角頂点保護１００。
【請求項１２】
Ａ面部ＡとＢ面部Ｂからなる面とＣ１面部Ｃ１とＣ２面部Ｃ２とからなる面を直角（９０°）になるよう山折り線ＢＬ１で折り曲げたことを特徴とする請求項１１に記載された角頂点保護１００。
【請求項１３】
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することを特徴とする請求項１１〜１２の何れかに記載された角頂点保護１００。
【請求項１４】
Ａ面部ＡとＢ面部Ｂを山折り線ＢＬ２で角度９０°になるように折り曲げて、切込線Ｌ６の開口部からＣ２面部Ｃ２の角部００’４’を差込嵌合させて組み立てることを特徴とする請求項１１〜１３の何れかに記載された角頂点保護１００。
【請求項１５】
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線２、切断線Ｌ２’が、それぞれ直線又は曲線であることを特徴とする請求項１１〜１４の何れかに記載された角頂点保護１００。
【請求項１６】
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことを特徴とする請求項１１〜１５の何れかに記載された角頂点保護１００。
【請求項１７】
厚板紙、段ボール、合成樹脂板等の板状シートの材料により構成されることを特徴とする請求項１１〜１２の何れかに記載された角頂点保護１００。
【考案の詳細な説明】
【技術分野】
【０００１】
本考案は、角頂点保護に関する。
より詳しくは、結合の強さが、平面方向の動作のみならず、厚さ方向の動作にも強い角頂点保護に関する。
より詳しくは、嵩張らず、保管・輸送にも経済的、且つ、外形にも、曲線を交えて変化を求めることが出来る角頂点保護に関する。
【背景技術】
【０００２】
現在、製品の角（及び稜）の保護に、角頂点保護（角当て、プロテクターともいう。）として嵌合式で結合させているが、嵌合式の結合は材料の厚みで維持しており、左右方向の動作に対しては維持できるが、厚さに対する上下方向に対しては、非常に維持するのが難しい（図１４）。
【０００３】
今回考案した角頂点保護（角当て、プロテクターともいう。）はＬ型製品のみならず、平板の板紙等に、差込嵌合加工し、左右上下方向の動作にも結合を維持できるようにするものである。
【先行技術文献】
【特許文献】
【０００４】
本願考案に係る角頂点保護について、ＦＩ、キーワード検索を行ったところ、本件考案（角頂点保護）に近い考案等記載文献は、発見されませんでしたので、特許文献の記載は省略する。
【考案の概要】
【考案が解決しようとする課題】
【０００５】
○本考案が解決しようとする第１課題
本考案が解決しようとする第１課題は、
結合の強さが、平面方向の動作のみならず、厚さ方向の動作にも強い角頂点保護を提供することである。
○本考案が解決しようとする第２課題
本考案が解決しようとする第２課題は、
嵩張らず、保管・輸送にも経済的、且つ、外形にも、曲線を交えて変化を求めることが出来る角頂点保護を提供することである。
【課題を解決するための手段】
【０００６】
課題を解決するための手段は、本願の［特許請求の範囲］の各請求項に記載の考案である。
特許請求の範囲、明細書、図面等の用語の解釈上の疑義を解消すべく、以下用語の説明を行うこととする。
＜用語の説明＞
○角頂点保護１００とは、製品の角又は稜線を衝撃等から保護するための保護材をいう。角当て、プロテクターともいう。
本考案に係る、角頂点保護１００は、Ａタイプ、Ｂタイプ、Ｃタイプと、Ｄタイプとに分類される。
Ａタイプのものとは、切込線Ｌ４と切込線Ｌ４’を交互に嵌合させて組み立てるタイプのものをいう（交叉嵌合タイプともいう。）。
Ｂタイプのものとは、切込線Ｌ６の開口部からＣ２面部Ｃ２の角部００’４’を差込嵌合させて組み立てるタイプ（差込嵌合タイプともいう。）タイプのものをいう。
さらに、本考案に係る、角頂点保護１００は、材料によって、Ｃタイプと、Ｄタイプに分類される。
厚板紙、段ボール、合成樹脂板等の板状シートの材料から構成されるＣタイプのものと、Ｌ型成型品から構成されるＤタイプのものに分類される。
本考案に係る角頂点保護１００には、それぞれを組合せた、ＡタイプでＣタイプ、ＡタイプでＤタイプ、Ｂタイプがあり、ＢタイプでＣタイプ、ＢタイプでＤタイプの４タイプに分類される。
○板状シートとは、平板のように薄い平面上のものをいい、素材は、紙・プラスチック等である。
○Ｌ型成型品とは、横断面形状がＬ字型の紙・プラスチック等からなる製品である。
○長方形状のＡ面部Ａ、長方形状のＢ面部Ｂ、長方形状のＣ１面部Ｃ１、長方形状のＣ２面部Ｃ２は、角頂点保護１００を構成する構成要素である。
○山折り線とは、折り目の線が外側になるように折る際の折り目の線をいう。
○谷折り線とは、折り目の線が内側に隠れてしまうように折る際の折り目の線をいう。
○Ａ面部ＡとＢ面部Ｂからなる面とＣ１面部Ｃ１とＣ２面部Ｃ２とからなる面を直角（９０°）になるよう山折り線ＢＬ１で折り曲げたこと（Ａタイプの角頂点保護）とは、
Ａタイプの角頂点保護に対して、適用されるもので、シート状の角頂点保護１００に対して、Ａ面部ＡとＢ面部Ｂからなる面とＣ１面部Ｃ１とＣ２面部Ｃ２とからなる面を直角（９０°）になるよう山折り線ＢＬ１で折り曲げるという加工を加えれば、Ａ面部ＡとＢ面部Ｂからなる面とＣ１面部Ｃ１とＣ２面部Ｃ２からなる面が、直角（９０°）に交叉したＬ型成形品と同じ形状になることをいう。
○切断線Ｌ１で切断された切欠部とは、Ａ面部Ａにおいて、切断線Ｌ１と点２を含む切断除去部分をいう。
○切断線Ｌ１’で切断された切欠部とは、Ｂ面部Ｂにおいて、切断線Ｌ１’と点２’を含む切断除去部分をいう。
○切断線Ｌ２で切断された切欠部とは、Ｃ１面部Ｃ１において、切断線Ｌ２と点４を含む切断除去部分をいう。
○切断線Ｌ２’で切断された切欠部とは、Ｃ２面部Ｃ２において、切断線Ｌ２’と点４’を含む切断除去部分をいう。
○切断線Ｌ１で切断された切欠部、又は／及び、切断線Ｌ１’で切断された切欠部、又は／及び、切断線Ｌ２で切断された切欠部、又は／及び、切断線Ｌ２’で切断された切欠部とあるのは、上記切欠部（すなわち、上記切断線）のうち０又は１又は２以上を任意に選択してもよいことを表している。
○切込線Ｌ４と切込線Ｌ４’が、共に点０を中心とする円弧であることは、Ａ面部ＡとＢ面部Ｂを山折り線ＢＬ２で角度θになるように折り曲げて、切込線Ｌ４と切込線Ｌ４’を交互に差込嵌合させて組み立てた場合、切込線Ｌ４の端点７と切込線Ｌ４’の端点７’が重なり合うことの要件を充足するので、交互に差込嵌合させて組み立てたることが可能となる。
上記において、切込線Ｌ４の端点６と切込線Ｌ４’の端点６’が重なり合うところから始まって、切込線Ｌ４の端点６と切込線Ｌ４’の端点７’が重なる場合、切込線Ｌ４と切込線Ｌ４’が重なり合い、さらに差込んでいくと切込線Ｌ４と切込線Ｌ４’が重なり合いが少なくなって、最終的には、切込線Ｌ４の端点７と切込線Ｌ４’の端点７’が重なり合うことになる。
○切込線Ｌ４と切込線Ｌ４’が、共に直線であることは、Ａ面部ＡとＢ面部Ｂを山折り線ＢＬ２で角度θになるように折り曲げて、切込線Ｌ４と切込線Ｌ４’を交互に差込嵌合させて組み立てた場合、切込線Ｌ４の端点７と切込線Ｌ４’の端点７’が重なり合うことの要件を充足するので、交互に差込嵌合させて組み立てたることが可能となる。
上記において、切込線Ｌ４の端点６と切込線Ｌ４’の端点６’が重なり合うところから始まって、切込線Ｌ４の端点６と切込線Ｌ４’の端点７’が重なる場合、切込線Ｌ４と切込線Ｌ４’が重なり合わず交叉しており、さらに差込んでいくと切込線Ｌ４と切込線Ｌ４’が重なり合わず交叉したままであり、最終的には、切込線Ｌ４の端点７と切込線Ｌ４’の端点７’が重なり合うことになる。
したがって、差込の途中過程において、切込線Ｌ４の端点６と切込線Ｌ４’が重なり合うことが必要と思われたが、実際に実験してみて、予想外にも、差込の途中過程において、切込線Ｌ４の端点６と切込線Ｌ４’が重なり合うことは必要ではなく、最終的に、切込線Ｌ４の端点７と切込線Ｌ４’の端点７’が重なり合うことが重要な必須要件であることに、出願人は初めて気が付き、本考案（請求項８記載考案）を完成させた。
○角度θが９０°であることとは、本考案に係る角頂点保護が、切断線ＣＬ１と切断線ＣＬ２が溝を構成した場合をいう。
○厚板紙、段ボール、合成樹脂板等の板状シートの材料により構成されることとは、本考案に係る角頂点保護１００の材料を明確にする趣旨である。
○切断線Ｌ５とは、Ｃ１面部Ｃ１とＣ２面部Ｃ２の左右境界部に切断線Ｌ５に設けられた切断線をいう（Ｂタイプの角頂点保護）。
○切込線Ｌ６とは、切込線８９（点８と点９を結ぶ切込線）であり、点８から点９までＣ１面部Ｃ１の表面と裏面を貫通させた切込線をいい、
当該切込線Ｌ６の開口部からＣ２面部Ｃ２の角部００’４’を差込嵌合させて組み立てるための重要な線である。
○切込線Ｌ６の端点１１、１２が正方形００’４’’３’’の辺上に位置することとは、タイプＢの角頂点保護１００において、Ａ面部ＡとＢ面部Ｂを山折り線ＢＬ２で角度９０°になるように折り曲げて、切込線Ｌ６の開口部からＣ２面部Ｃ２の角部００’４’を差込嵌合させて組み立てるための重要な必須要件であることに、出願人は初めて気が付き、本考案（請求項１１、１３記載考案）を完成させた。
○切欠部とは、
（０）切断線ＣＬ１と切断線ＣＬ２によって、Ｃ１面部とＣ２面部からなる面から切断除去される部分（切欠部０５５’）の他、
（１）切断線Ｌ１で切断された切欠部、
（２）切断線Ｌ１’で切断された切欠部、
（３）切断線Ｌ２で切断された切欠部、
（４）切断線Ｌ２’で切断された切欠部をいう。
○面部とは、シート状で、かつ、その表面が平面である立体をいう。
○平判とは、「商品になった紙の一つの形態で，巻取りに対する語。ＪＩＳに規定された所定の寸法の長方形に切断したシート状のものをいう。」（百科事典マイペディア）
○段ボールとは、波状に成形した中心（なかしん）紙の片面または両面に厚紙をはり合わせた厚板紙をいう。
○厚板紙とは、厚板のように堅い厚手の紙をいう。
＊＊＊＊＊＊＊＊＊＊＊＊＊＊＊＊＊＊＊＊＊＊＊＊＊＊＊＊＊＊＊＊＊＊＊
＜記号の説明＞
●数字０、１、２、３、４、５、６、７、８、９、１１、１２及び０’、１’、２’、３’、４’、５’、６’、７’、８’、９’、１１’、１２’は、角頂点保護１００の位置を表す。
「  ’」が付していない数字は、原則として、角頂点保護１００の左半分の位置を表し、「  ’」が付した数字は、原則として、角頂点保護１００の右半分の位置を表す。
●Ａ…長方形状のＡ面部を表す。
●Ｂ…長方形状のＢ面部を表す。
●Ｃ１…長方形状のＣ１面部を表す。
●Ｃ２…長方形状のＣ２面部を表す。
●ＢＬ１…Ａ面部ＡとＢ面部Ｂからなる面と、Ｃ１面部Ｃ１とＣ２面部Ｃ２からなる面の上下境界部の山折り線をいう（Ａタイプの角頂点保護）。
●ＢＬ１…Ａ面部ＡとＢ面部Ｂからなる面と、Ｃ１面部Ｃ１とＣ２面部Ｃ２からなる面の上下境界部の境界線をいう（Ｂタイプの角頂点保護）。
Ｂタイプの角頂点保護においては、山折り線ＢＬ１では山折りをしないので、山折り線ＢＬ１は、相応しくないが、Ｂタイプの角頂点保護において、山折り線ＢＬ１は、「Ａ面部ＡとＢ面部Ｂからなる面と、Ｃ１面部Ｃ１とＣ２面部Ｃ２からなる面の上下境界部の境界線をいう」の意味合いを表すものとする。
●ＢＬ２…Ａ面部ＡとＢ面部Ｂの左右境界部の山折り線をいう（Ａタイプの角頂点保護、Ｂタイプの角頂点保護）。
Ａタイプの角頂点保護、Ｂタイプの角頂点保護の両方に対して、上記意味合いが生じるものとする。
●ＣＬ１…Ｃ１面部Ｃ１に、山折り線ＢＬ１と角度θをなすように引かれた線０５であり、切欠部０５５’を、Ｃ１面部とＣ２面部からなる面から除去するための切断線（直線）である。
切断線ＣＬ１と切断線ＣＬ２は、直線であり、左右対称である。
●ＣＬ２…Ｃ２面部Ｃ２に、山折り線ＢＬ１と角度θをなすように引かれた線０７’であり、切欠部０５５’を、Ｃ１面部とＣ２面部からなる面から除去するための切断線（直線）である。
切断線ＣＬ１と切断線ＣＬ２は、直線であり、左右対称である。
●切欠部０５５’とは、切断線ＣＬ１と切断線ＣＬ２によって、Ｃ１面部とＣ２面部からなる面から切断除去される部分である。
●切込線Ｌ４とは、切込線６７（点６と点７を結ぶ切込線）であり、点６から点７までＣ１面部Ｃ１の表面と裏面を貫通させた切込線をいい、切込線Ｌ４’と交叉させて嵌合させるための重要な線である。
切込線Ｌ４と切込線Ｌ４’は、直線又は曲線であり、左右対称である。
●切込線Ｌ４’とは、切込線６’７’（点６’と点７’を結ぶ切込線）であり、点６’から点７’までＣ２面部Ｃ２の表面と裏面を貫通させた切込線をいい、切込線Ｌ４’と交叉させて嵌合させるための重要な線である。
切込線Ｌ４と切込線Ｌ４’は、直線又は曲線であり、左右対称である。
●切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることを特徴とする角頂点保護１００。
●θ…Ｃ１面部Ｃ１、Ｃ２面部Ｃ１のそれぞれが、山折り線ＢＬ１となす角度をいう。θは、下式（１）式の範囲にある。
０°＜θ≦９０°…（１）
そして、Ａ面部ＡとＢ面部Ｂを山折り線ＢＬ２で折り曲げて、切込線Ｌ４と切込線Ｌ４’を交互に差込嵌合させて組み立てた場合、Ａ面部ＡとＢ面部Ｂのなす角度はθとなる。
さらに、Ａ面部ＡとＢ面部Ｂを山折り線ＢＬ２で折り曲げて、切込線Ｌ４と切込線Ｌ４’を交互に差込嵌合させて組み立てた場合、切込線Ｌ４と切込線Ｌ４’が重なり合う。
●Ｌ１…Ａ面部Ａの切欠部を切断し除去するための切断線をいう。
●Ｌ１’…Ｂ面部Ｂの切欠部を切断し除去するための切断線をいう。
●Ｌ２…Ｃ１面部Ｃ１の切欠部を切断し除去するための切断線をいう。
●Ｌ２’…Ｃ２面部Ｃ２の切欠部を切断し除去するための切断線をいう。
ただし、切断線Ｌ１、切断線Ｌ１’、切断線２、切断線Ｌ２’を設けるかどうかは、角頂点保護１００のデザインから決定されるものであり、任意であるので、切断線Ｌ１、切断線Ｌ１’、切断線２、切断線Ｌ２’自体、存在しない場合もある。
ここに、切断線Ｌ１、切断線Ｌ１’、切断線２、切断線Ｌ２’は、設けられた場合、それぞれ直線又は曲線である。
通常は、上記切断線は、直線であるが、曲線であってもよい。曲線を採用することによって、嵩張らず、保管・輸送にも経済的、且つ、外形にも、曲線を交えて変化を求めることが出来る角頂点保護を提供することという第２課題を達成することができる。
●Ｃ１’…長方形状のＣ１’面を表す。Ｃ１’面とＣ１面とは合同である。
●Ｃ２’…長方形状のＣ２’面を表す。Ｃ２’面はＣ２面とは合同である。
＊＊＊＊＊＊＊＊＊＊＊＊＊＊＊＊＊＊＊＊＊＊＊＊＊＊＊＊＊＊＊＊＊＊＊
［実施例１］
本考案に係る角頂点保護１００の実施例１は、ＡタイプかつＣタイプの角頂点保護１００の実施例である。
本実施例は、図１において、角度θは９０°であり、切込線Ｌ２、Ｌ２’が円弧であると共に、切断線Ｌ１、Ｌ２、Ｌ２’は存在せず、切断線Ｌ１’は、点１と点３’を連結する直線である場合の実施例である。
本実施例は、角度θが９０°であるので、切断線３と切断線３’は、重なって１本の線になり、さらに、かかる１本の線を太くし、太くした線を溝状に切り欠いた角頂点保護１００の実施例である。
＊＊＊＊＊＊＊＊＊＊＊＊＊＊＊＊＊＊＊＊＊＊＊＊＊＊＊＊＊＊＊＊＊＊＊
［実施例２］
本考案に係る角頂点保護１００の実施例２は、ＡタイプかつＣタイプの角頂点保護１００の実施例である。
本実施例は、角度θは９０°であり、切込線Ｌ２、Ｌ２’が円弧であると共に、切断線Ｌ１、Ｌ１’Ｌ２、Ｌ２’は存在しない場合の実施例である。
本実施例は、角度θが９０°であるので、切断線３と切断線３’は、重なって１本の線になり、さらに、かかる１本の線を太くし、太くした線を溝状に切り欠いた角頂点保護１００の実施例である。
＊＊＊＊＊＊＊＊＊＊＊＊＊＊＊＊＊＊＊＊＊＊＊＊＊＊＊＊＊＊＊＊＊＊＊
［実施例３］
本考案に係る角頂点保護１００の実施例３は、ＡタイプかつＣタイプの角頂点保護１００の実施例である。
本実施例は、図１において、角度θは９０°未満であり、切込線Ｌ２、Ｌ２’が円弧であると共に、切断線Ｌ１、Ｌ１’は存在せず、切断線Ｌ２、  Ｌ２’は、曲線である場合の実施例である。
＊＊＊＊＊＊＊＊＊＊＊＊＊＊＊＊＊＊＊＊＊＊＊＊＊＊＊＊＊＊＊＊＊＊＊
［実施例４］
本考案に係る角頂点保護１００の実施例４は、ＡタイプかつＣタイプの角頂点保護１００の実施例である。
本実施例は、図１において、角度θは９０°未満であり、切込線Ｌ２、Ｌ２’が直線であると共に、切断線Ｌ１、Ｌ１’Ｌ２、Ｌ２’は存在しない場合の実施例である。
本実施例は、図切込線Ｌ２、Ｌ２’が直線であるという特徴的個性要件を具備した考案を記載した実施例である。
＊＊＊＊＊＊＊＊＊＊＊＊＊＊＊＊＊＊＊＊＊＊＊＊＊＊＊＊＊＊＊＊＊＊＊
［実施例５］
本考案に係る角頂点保護１００の実施例５は、ＢタイプかつＣタイプの角頂点保護１００の実施例である。
本実施例は、図３において、角度θは９０°であり、切込線Ｌ６の開口部からＣ２面部Ｃ２の角部００’４’を差込嵌合させると共に、切断線Ｌ１、Ｌ１’Ｌ２、Ｌ２’は存在しない場合の実施例である。
＊＊＊＊＊＊＊＊＊＊＊＊＊＊＊＊＊＊＊＊＊＊＊＊＊＊＊＊＊＊＊＊＊＊＊
［実施例６］
本考案に係る角頂点保護１００の実施例６は、ＡタイプかつＣタイプの角頂点保護１００の実施例２（図２）において、Ｃ１’面Ｃ１’とＣ２’面Ｃ２’を、Ａ面ＡとＢ面Ｂの上方に一体に設けた角頂点保護を表した図である。
本実施例に係る角頂点保護は、２つの角に当てるものである。
Ｃ１面Ｃ１とＣ２面Ｃ２及びＡ面ＡとＢ面Ｂからなる角頂点保護は一つの角に当て、Ｃ１’面Ｃ１’とＣ２’面Ｃ２’及びＡ面ＡとＢ面Ｂからなる角頂点保護はもう一つの角に当てるものである。
本実施例の角頂点保護は、２つの角に同時に当てるものである（実施例１〜５は、一つの角に当てる角頂点保護であったが、２つの角に同時に当てるものも角頂点保護という。）。
実施例６の（Ａ）図における角頂点保護の構成要素は、Ｃ１面とＣ２面と及びＡ面とＢ面及びＣ１’面とＣ２’面であるのに対して、実施例２の（Ａ）図における角頂点保護の構成要素は、Ｃ１面とＣ２面と及びＡ面とＢ面である。
実施例６と実施例２の関係は、実施例２が実施例６の部分発明の関係にある。
すなわち、実施例６を実施すれば、実施例２を実施することになる。
上記実施例２の場合と同様に考えれば、実施例１、３〜５において、Ｃ１’面Ｃ１’とＣ２’面Ｃ２’を、Ａ面ＡとＢ面Ｂの上方に一体に設けた角頂点保護を製作した場合において、当該角頂点保護を実施すれば、実施例１、３〜５を実施することになる。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜本件考案に係る角頂点保護の製作手順＞
［ＡＣ］ＡタイプかつＣタイプの角頂点保護の場合
［Ｓ１：ステップ１］切欠部０５５’を切欠く。
Ａ面部Ａ、Ｂ面部Ｂ、Ｃ１面部Ｃ１、Ｃ２面部Ｃ２からなる角頂点保護１００において、切断線ＣＬ１と切断線ＣＬ２を設けて切欠部０５５’を切欠く。
［Ｓ２：ステップ２］山折り線ＢＬ１で折り曲げる。
Ａ面部ＡとＢ面部Ｂからなる面とＣ１面部Ｃ１とＣ２面部Ｃ２とからなる面を直角（９０°）になるよう山折り線ＢＬ１で折り曲げる。
［Ｓ３：ステップ３］山折り線ＢＬ２で折り曲げて、切込線Ｌ４と切込線Ｌ４’を交互に差込嵌合させて組み立てる。
＊＊＊＊＊＊＊＊＊＊＊＊＊＊＊＊＊＊＊＊＊＊＊＊＊＊＊＊＊＊＊＊＊＊＊
［ＡＤ］ＡタイプかつＤタイプの角頂点保護の場合
［Ｓ１：ステップ１］Ｌ型成形品からなる角頂点保護１００において、切欠部０５５’を切欠く。
Ａ面部Ａ、Ｂ面部Ｂ、Ｃ１面部Ｃ１、Ｃ２面部Ｃ２のＬ型成形品からなる角頂点保護１００において、山折り線ＢＬ１を設け、切断線ＣＬ１と切断線ＣＬ２を設けて切欠部０５５’を切欠く。
［Ｓ２：ステップ２］山折り線ＢＬ１で折り曲げる工程は省略する。
Ｌ型成形品からなる角頂点保護１００において、Ａ面部ＡとＢ面部Ｂからなる面とＣ１面部Ｃ１とＣ２面部Ｃ２とからなる面を直角（９０°）にする必要がない。
［Ｓ３：ステップ３］山折り線ＢＬ２で折り曲げて、切込線Ｌ４と切込線Ｌ４’を交互に差込嵌合させて組み立てる。
＊＊＊＊＊＊＊＊＊＊＊＊＊＊＊＊＊＊＊＊＊＊＊＊＊＊＊＊＊＊＊＊＊＊＊
［ＢＣ］ＢタイプかつＣタイプの角頂点保護の場合
［Ｓ１：ステップ１］切断線Ｌ５と切込線Ｌ６を設ける。
Ａ面部Ａ、Ｂ面部Ｂ、Ｃ１面部Ｃ１、Ｃ２面部Ｃ２からなる角頂点保護１００に切断線Ｌ５を設けると共に、切込線Ｌ６を設ける。
［Ｓ２：ステップ２］山折り線ＢＬ１で折り曲げる。
Ａ面部ＡとＢ面部Ｂからなる面とＣ１面部Ｃ１とＣ２面部Ｃ２とからなる面を直角（９０°）になるよう山折り線ＢＬ１で折り曲げる。
［Ｓ３：ステップ３］山折り線ＢＬ２で折り曲げて、切込線Ｌ６の開口部からＣ２面部Ｃ２の角部００’４’を差込嵌合させて組み立てる。
＊＊＊＊＊＊＊＊＊＊＊＊＊＊＊＊＊＊＊＊＊＊＊＊＊＊＊＊＊＊＊＊＊＊＊
［ＢＤ］ＢタイプかつＤタイプの角頂点保護の場合
［Ｓ１：ステップ１］切断線Ｌ５と切込線Ｌ６を設ける。
Ａ面部Ａ、Ｂ面部Ｂ、Ｃ１面部Ｃ１、Ｃ２面部Ｃ２のＬ型成形品からなる角頂点保護１００に切断線Ｌ５を設けると共に、切込線Ｌ６を設ける。
［Ｓ２：ステップ２］山折り線ＢＬ１で折り曲げる工程は省略する。
Ｌ型成形品からなる角頂点保護１００において、Ａ面部ＡとＢ面部Ｂからなる面とＣ１面部Ｃ１とＣ２面部Ｃ２とからなる面を直角（９０°）にする必要がない。
［Ｓ３：ステップ３］山折り線ＢＬ２で折り曲げて、切込線Ｌ６の開口部からＣ２面部Ｃ２の角部００’４’を差込嵌合させて組み立てる。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
課題を解決するための手段は、本願の特許請求の範囲の各請求項に記載の考案であり、その具体的な解決手段は、以下の通りである。
○第１の考案（請求項１に記載の考案）
上記の課題を解決するための第１の考案（請求項１に記載の考案）は、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることを特徴とする角頂点保護１００である。
○第２の考案（請求項２に記載の考案）
上記の課題を解決するための第２の考案（請求項２に記載の考案）は、
Ａ面部ＡとＢ面部Ｂからなる面とＣ１面部Ｃ１とＣ２面部Ｃ２とからなる面を直角（９０°）になるよう山折り線ＢＬ１で折り曲げたことを特徴とする請求項１に記載された角頂点保護１００である。
○第３の考案（請求項３に記載の考案）
上記の課題を解決するための第３の考案（請求項３に記載の考案）は、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることを特徴とする請求項１〜２の何れかに記載された角頂点保護１００である。
○第４の考案（請求項４に記載の考案）
上記の課題を解決するための第４の考案（請求項４に記載の考案）は、
Ａ面部ＡとＢ面部Ｂを山折り線ＢＬ２で角度θ°になるように折り曲げて、切込線Ｌ４と切込線Ｌ４’を交互に差込嵌合させて組み立てた場合、切込線Ｌ４と切込線Ｌ４’が重なり合うことを特徴とする請求項１〜３の何れかに記載された角頂点保護１００である。
○第５の考案（請求項５に記載の考案）
上記の課題を解決するための第５の考案（請求項５に記載の考案）は、
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線２、切断線Ｌ２’が、それぞれ直線又は曲線であることを特徴とする請求項１〜４の何れかに記載された角頂点保護１００である。
○第６の考案（請求項６に記載の考案）
上記の課題を解決するための第６の考案（請求項６に記載の考案）は、
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことを特徴とする請求項１〜５の何れかに記載された角頂点保護１００である。
○第７の考案（請求項７に記載の考案）
上記の課題を解決するための第７の考案（請求項７に記載の考案）は、
切込線Ｌ４と切込線Ｌ４’が、共に点０を中心とする円弧であることを特徴とする請求項１〜６の何れかに記載された角頂点保護１００である。
○第８の考案（請求項８に記載の考案）
上記の課題を解決するための第８の考案（請求項８に記載の考案）は、
切込線Ｌ４と切込線Ｌ４’が、共に直線であることを特徴とする請求項１〜７の何れかに記載された角頂点保護１００である。
○第９の考案（請求項９に記載の考案）
上記の課題を解決するための第９の考案（請求項９に記載の考案）は、
角度θが９０°であることを特徴とする請求項１〜８の何れかに記載された角頂点保護１００である。
○第１０の考案（請求項１０に記載の考案）
上記の課題を解決するための第１０の考案（請求項１０に記載の考案）は、
厚板紙、段ボール、合成樹脂板等の板状シートの材料により構成されることを特徴とする請求項１〜２の何れかに記載された角頂点保護１００である。
○第１１の考案（請求項１１に記載の考案）
上記の課題を解決するための第１１の考案（請求項１１に記載の考案）は、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することを特徴とする角頂点保護１００である。
○第１２の考案（請求項１２に記載の考案）
上記の課題を解決するための第１２の考案（請求項１２に記載の考案）は、
Ａ面部ＡとＢ面部Ｂからなる面とＣ１面部Ｃ１とＣ２面部Ｃ２とからなる面を直角（９０°）になるよう山折り線ＢＬ１で折り曲げたことを特徴とする請求項１１に記載された角頂点保護１００である。
○第１３の考案（請求項１３に記載の考案）
上記の課題を解決するための第１３の考案（請求項１３に記載の考案）は、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することを特徴とする請求項１１〜１２の何れかに記載された角頂点保護１００である。
○第１４の考案（請求項１４に記載の考案）
上記の課題を解決するための第１４の考案（請求項１４に記載の考案）は、
Ａ面部ＡとＢ面部Ｂを山折り線ＢＬ２で角度９０°になるように折り曲げて、切込線Ｌ６の開口部からＣ２面部Ｃ２の角部００’４’を差込嵌合させて組み立てることを特徴とする請求項１１〜１３の何れかに記載された角頂点保護１００である。
○第１５の考案（請求項１５に記載の考案）
上記の課題を解決するための第１５の考案（請求項１５に記載の考案）は、
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線２、切断線Ｌ２’が、それぞれ直線又は曲線であることを特徴とする請求項１１〜１４の何れかに記載された角頂点保護１００である。
○第１６の考案（請求項１６に記載の考案）
上記の課題を解決するための第１６の考案（請求項１６に記載の考案）は、
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことを特徴とする請求項１１〜１５の何れかに記載された角頂点保護１００である。
○第１７の考案（請求項１７に記載の考案）
上記の課題を解決するための第１７の考案（請求項１７に記載の考案）は、
厚板紙、段ボール、合成樹脂板等の板状シートの材料により構成されることを特徴とする請求項１１〜１２の何れかに記載された角頂点保護１００である。
【考案の効果】
【０００７】
本考案に係る角頂点保護１００では、上記のような特徴的構成要件から構成され、特徴的構成要件に応じた、以下のような本願考案特有の効果を奏する。
また、上記の各考案に応じた、上記のような特徴的構成要件から構成された角頂点保護１００によれば、本願考案の課題を十分解消することができた。
○第１の考案の効果
第１の考案によれば、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることという特徴的な構成要件により、本考案が解決しようとする第１課題〜第２課題を達成することができ、当業者予測不可能な顕著な効果を奏することができた。
○第２の考案の効果
第２の考案によれば、
Ａ面部ＡとＢ面部Ｂからなる面とＣ１面部Ｃ１とＣ２面部Ｃ２とからなる面を直角（９０°）になるよう山折り線ＢＬ１で折り曲げたことという特徴的な構成要件により、本考案が解決しようとする第１課題〜第２課題を達成することができ、当業者予測不可能な顕著な効果を奏することができた。
○第３の考案の効果
第３の考案によれば、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることという特徴的な構成要件により、本考案が解決しようとする第１課題〜第２課題を達成することができ、当業者予測不可能な顕著な効果を奏することができた。
○第４の考案の効果
第４の考案によれば、
Ａ面部ＡとＢ面部Ｂを山折り線ＢＬ２で角度θ°になるように折り曲げて、切込線Ｌ４と切込線Ｌ４’を交互に差込嵌合させて組み立てた場合、切込線Ｌ４と切込線Ｌ４’が重なり合うことという特徴的な構成要件により、本考案が解決しようとする第１課題〜第２課題を達成することができ、当業者予測不可能な顕著な効果を奏することができた。
○第５の考案の効果
第５の考案によれば、
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線２、切断線Ｌ２’が、それぞれ直線又は曲線であることという特徴的な構成要件により、本考案が解決しようとする第１課題〜第２課題を達成することができ、当業者予測不可能な顕著な効果を奏することができた。
○第６の考案の効果
第６の考案によれば、
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことという特徴的な構成要件により、本考案が解決しようとする第１課題〜第２課題を達成することができ、当業者予測不可能な顕著な効果を奏することができた。
○第７の考案の効果
第７の考案によれば、
切込線Ｌ４と切込線Ｌ４’が、共に点０を中心とする円弧であることという特徴的な構成要件により、本考案が解決しようとする第１課題〜第２課題を達成することができ、当業者予測不可能な顕著な効果を奏することができた。
○第８の考案の効果
第８の考案によれば、
切込線Ｌ４と切込線Ｌ４’が、共に直線であることという特徴的な構成要件により、本考案が解決しようとする第１課題〜第２課題を達成することができ、当業者予測不可能な顕著な効果を奏することができた。
○第９の考案の効果
第９の考案によれば、
角度θが９０°であることという特徴的な構成要件により、本考案が解決しようとする第１課題〜第２課題を達成することができ、当業者予測不可能な顕著な効果を奏することができた。
○第１０の考案の効果
第１０の考案によれば、
厚板紙、段ボール、合成樹脂板等の板状シートの材料により構成されることという特徴的な構成要件により、本考案が解決しようとする第１課題〜第２課題を達成することができ、当業者予測不可能な顕著な効果を奏することができた。
○第１１の考案の効果
第１１の考案によれば、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することという特徴的な構成要件により、本考案が解決しようとする第１課題〜第２課題を達成することができ、当業者予測不可能な顕著な効果を奏することができた。
○第１２の考案の効果
第１２の考案によれば、
Ａ面部ＡとＢ面部Ｂからなる面とＣ１面部Ｃ１とＣ２面部Ｃ２とからなる面を直角（９０°）になるよう山折り線ＢＬ１で折り曲げたことという特徴的な構成要件により、本考案が解決しようとする第１課題〜第２課題を達成することができ、当業者予測不可能な顕著な効果を奏することができた。
○第１３の考案の効果
第１３の考案によれば、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することという特徴的な構成要件により、本考案が解決しようとする第１課題〜第２課題を達成することができ、当業者予測不可能な顕著な効果を奏することができた。
○第１４の考案の効果
第１４の考案によれば、
Ａ面部ＡとＢ面部Ｂを山折り線ＢＬ２で角度９０°になるように折り曲げて、切込線Ｌ６の開口部からＣ２面部Ｃ２の角部００’４’を差込嵌合させて組み立てることという特徴的な構成要件により、本考案が解決しようとする第１課題〜第２課題を達成することができ、当業者予測不可能な顕著な効果を奏することができた。
○第１５の考案の効果
第１５の考案によれば、
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線２、切断線Ｌ２’が、それぞれ直線又は曲線であることという特徴的な構成要件により、本考案が解決しようとする第１課題〜第２課題を達成することができ、当業者予測不可能な顕著な効果を奏することができた。
○第１６の考案の効果
第１６の考案によれば、
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことという特徴的な構成要件により、本考案が解決しようとする第１課題〜第２課題を達成することができ、当業者予測不可能な顕著な効果を奏することができた。
○第１７の考案の効果
第１７の考案によれば、
厚板紙、段ボール、合成樹脂板等の板状シートの材料により構成されることという特徴的な構成要件により、本考案が解決しようとする第１課題〜第２課題を達成することができ、当業者予測不可能な顕著な効果を奏することができた。
【考案を実施するための最良の形態】
【０００８】
以下、本考案に係る、角頂点保護１００に関する最良の実施形態について、図面を参照しながら説明する。
［図１］図１は、本考案に係る角頂点保護（ＡタイプかつＣタイプ）を表す図である。
［図２］図２は、本考案に係る角頂点保護（ＡタイプかつＤタイプ）を表す図である。
［図３］図３は、本考案に係る角頂点保護（ＢタイプかつＣタイプ）を表す図である。
［図４］図４は、本考案に係る角頂点保護（ＢタイプかつＤタイプ）を表す図である。
［図５］図５は、本考案に係る角頂点保護（ＡタイプかつＣタイプ）の製作手順を表すフローチャートである。
［図６］図６は、本考案に係る角頂点保護（ＡタイプかつＤタイプ）の製作手順を表すフローチャートである。
［図７］図７は、本考案に係る角頂点保護（ＢタイプかつＣタイプ）の製作手順を表すフローチャートである。
［図８］図８は、本考案に係る角頂点保護（ＢタイプかつＤタイプ）の製作手順を表すフローチャートである。
［図９］図９（Ａ）図は、本考案に係る角頂点保護の実施例１を表す図であり、図９（Ｂ）図は、本考案に係る角頂点保護の実施例１を組み立てた状態を表す図である。
［図１０］図１０（Ａ）図は、本考案に係る角頂点保護の実施例２を表す図であり、図１０（Ｂ）図は、本考案に係る角頂点保護の実施例２を組み立てた状態を表す図である。
［図１１］図１１（Ａ）図は、本考案に係る角頂点保護の実施例３を表す図であり、図１１（Ｂ）図は、本考案に係る角頂点保護の実施例３を組み立てた状態を表す図である。
［図１２］図１２（Ａ）図は、本考案に係る角頂点保護の実施例４を表す図であり、図１２（Ｂ）図は、本考案に係る角頂点保護の実施例４を組み立てた状態を表す図である。
［図１３］図１３（Ａ）図は、本考案に係る角頂点保護の実施例５を表す図であり、図１３（Ｂ）図は、本考案に係る角頂点保護の実施例５を組み立てた状態を表す図である。
［図１４］図１４は、従来技術を表す図である。
［図１５］図１５は、図１５（Ａ）図は、本考案に係る角頂点保護（ＡタイプかつＤタイプ）を表す図（図２）において、Ｃ１’面Ｃ１’とＣ２’面Ｃ２’を、Ａ面ＡとＢ面Ｂに一体に設けた角頂点保護（実施例６）を表した図であり、図１５（Ｂ）図は、図１５（Ａ）図で表された角頂点保護の実施例６を組み立てた状態を表す図である。
以下、本考案に係る、角頂点保護１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることを特徴とする角頂点保護１００が開示されている。
○第１の考案の効果
第１の考案によれば、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることという特徴的な構成要件により、本考案が解決しようとする第１課題〜第２課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
Ａ面部ＡとＢ面部Ｂからなる面とＣ１面部Ｃ１とＣ２面部Ｃ２とからなる面を直角（９０°）になるよう山折り線ＢＬ１で折り曲げたことを特徴とする請求項１に記載された角頂点保護１００が開示されている。
○第２の考案の効果
第２の考案によれば、
Ａ面部ＡとＢ面部Ｂからなる面とＣ１面部Ｃ１とＣ２面部Ｃ２とからなる面を直角（９０°）になるよう山折り線ＢＬ１で折り曲げたことという特徴的な構成要件により、本考案が解決しようとする第１課題〜第２課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることを特徴とする請求項１〜２の何れかに記載された角頂点保護１００が開示されている。
○第３の考案の効果
第３の考案によれば、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることという特徴的な構成要件により、本考案が解決しようとする第１課題〜第２課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
Ａ面部ＡとＢ面部Ｂを山折り線ＢＬ２で角度θ°になるように折り曲げて、切込線Ｌ４と切込線Ｌ４’を交互に差込嵌合させて組み立てた場合、切込線Ｌ４と切込線Ｌ４’が重なり合うことを特徴とする請求項１〜３の何れかに記載された角頂点保護１００が開示されている。
○第４の考案の効果
第４の考案によれば、
Ａ面部ＡとＢ面部Ｂを山折り線ＢＬ２で角度θ°になるように折り曲げて、切込線Ｌ４と切込線Ｌ４’を交互に差込嵌合させて組み立てた場合、切込線Ｌ４と切込線Ｌ４’が重なり合うことという特徴的な構成要件により、本考案が解決しようとする第１課題〜第２課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線２、切断線Ｌ２’が、それぞれ直線又は曲線であることを特徴とする請求項１〜４の何れかに記載された角頂点保護１００が開示されている。
○第５の考案の効果
第５の考案によれば、
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線２、切断線Ｌ２’が、それぞれ直線又は曲線であることという特徴的な構成要件により、本考案が解決しようとする第１課題〜第２課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことを特徴とする請求項１〜５の何れかに記載された角頂点保護１００が開示されている。
○第６の考案の効果
第６の考案によれば、
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことという特徴的な構成要件により、本考案が解決しようとする第１課題〜第２課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
切込線Ｌ４と切込線Ｌ４’が、共に点０を中心とする円弧であることを特徴とする請求項１〜６の何れかに記載された角頂点保護１００が開示されている。
○第７の考案の効果
第７の考案によれば、
切込線Ｌ４と切込線Ｌ４’が、共に点０を中心とする円弧であることという特徴的な構成要件により、本考案が解決しようとする第１課題〜第２課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
切込線Ｌ４と切込線Ｌ４’が、共に直線であることを特徴とする請求項１〜７の何れかに記載された角頂点保護１００が開示されている。
○第８の考案の効果
第８の考案によれば、
切込線Ｌ４と切込線Ｌ４’が、共に直線であることという特徴的な構成要件により、本考案が解決しようとする第１課題〜第２課題を達成することができ、当業者予測不可能な顕著な効果を奏することができた。
９９９９９＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
角度θが９０°であることを特徴とする請求項１〜８の何れかに記載された角頂点保護１００が開示されている。
○第９の考案の効果  第９の考案によれば、
角度θが９０°であることという特徴的な構成要件により、本考案が解決しようとする第１課題〜第２課題を達成することができ、当業者予測不可能な顕著な効果を奏することができた。
０００００＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
厚板紙、段ボール、合成樹脂板等の板状シートの材料により構成されることを特徴とする請求項１〜２の何れかに記載された角頂点保護１００が開示されている。
○第１０の考案の効果
第１０の考案によれば、
厚板紙、段ボール、合成樹脂板等の板状シートの材料により構成されることという特徴的な構成要件により、本考案が解決しようとする第１課題〜第２課題を達成することができ、当業者予測不可能な顕著な効果を奏することができた。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することを特徴とする角頂点保護１００が開示されている。
○第１１の考案の効果
第１１の考案によれば、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することという特徴的な構成要件により、本考案が解決しようとする第１課題〜第２課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
Ａ面部ＡとＢ面部Ｂからなる面とＣ１面部Ｃ１とＣ２面部Ｃ２とからなる面を直角（９０°）になるよう山折り線ＢＬ１で折り曲げたことを特徴とする請求項１１に記載された角頂点保護１００が開示されている。
○第１２の考案の効果
第１２の考案によれば、
Ａ面部ＡとＢ面部Ｂからなる面とＣ１面部Ｃ１とＣ２面部Ｃ２とからなる面を直角（９０°）になるよう山折り線ＢＬ１で折り曲げたことという特徴的な構成要件により、本考案が解決しようとする第１課題〜第２課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することを特徴とする請求項１１〜１２の何れかに記載された角頂点保護１００が開示されている。
○第１３の考案の効果
第１３の考案によれば、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することという特徴的な構成要件により、本考案が解決しようとする第１課題〜第２課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
Ａ面部ＡとＢ面部Ｂを山折り線ＢＬ２で角度９０°になるように折り曲げて、切込線Ｌ６の開口部からＣ２面部Ｃ２の角部００’４’を差込嵌合させて組み立てることを特徴とする請求項１１〜１３の何れかに記載された角頂点保護１００が開示されている。
○第１４の考案の効果
第１４の考案によれば、
Ａ面部ＡとＢ面部Ｂを山折り線ＢＬ２で角度９０°になるように折り曲げて、切込線Ｌ６の開口部からＣ２面部Ｃ２の角部００’４’を差込嵌合させて組み立てることという特徴的な構成要件により、本考案が解決しようとする第１課題〜第２課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線２、切断線Ｌ２’が、それぞれ直線又は曲線であることを特徴とする請求項１１〜１４の何れかに記載された角頂点保護１００が開示されている。
○第１５の考案の効果
第１５の考案によれば、
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線２、切断線Ｌ２’が、それぞれ直線又は曲線であることという特徴的な構成要件により、本考案が解決しようとする第１課題〜第２課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことを特徴とする請求項１１〜１５の何れかに記載された角頂点保護１００が開示されている。
○第１６の考案の効果
第１６の考案によれば、
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことという特徴的な構成要件により、本考案が解決しようとする第１課題〜第２課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
厚板紙、段ボール、合成樹脂板等の板状シートの材料により構成されることを特徴とする請求項１１〜１２の何れかに記載された角頂点保護１００が開示されている。
○第１７の考案の効果
第１７の考案によれば、
厚板紙、段ボール、合成樹脂板等の板状シートの材料により構成されることという特徴的な構成要件により、本考案が解決しようとする第１課題〜第２課題を達成することができ、当業者予測不可能な顕著な効果を奏することができた。
【図面の簡単な説明】
【０００９】
【図１】図１は、本考案に係る角頂点保護（ＡタイプかつＣタイプ）を表す図である。
【図２】図２は、本考案に係る角頂点保護（ＡタイプかつＤタイプ）を表す図である。
【図３】図３は、本考案に係る角頂点保護（ＢタイプかつＣタイプ）を表す図である。
【図４】図４は、本考案に係る角頂点保護（ＢタイプかつＤタイプ）を表す図である。
【図５】図５は、本考案に係る角頂点保護（ＡタイプかつＣタイプ）の製作手順を表すフローチャートである。
【図６】図６は、本考案に係る角頂点保護（ＡタイプかつＤタイプ）の製作手順を表すフローチャートである。
【図７】図７は、本考案に係る角頂点保護（ＢタイプかつＣタイプ）の製作手順を表すフローチャートである。
【図８】図８は、本考案に係る角頂点保護（ＢタイプかつＤタイプ）の製作手順を表すフローチャートである。
【図９】図９（Ａ）図は、本考案に係る角頂点保護の実施例１を表す図であり、図９（Ｂ）図は、本考案に係る角頂点保護の実施例１を組み立てた状態を表す図である。
【図１０】図１０（Ａ）図は、本考案に係る角頂点保護の実施例２を表す図であり、図１０（Ｂ）図は、本考案に係る角頂点保護の実施例２を組み立てた状態を表す図である。
【図１１】図１１（Ａ）図は、本考案に係る角頂点保護の実施例３を表す図であり、図１１（Ｂ）図は、本考案に係る角頂点保護の実施例３を組み立てた状態を表す図である。
【図１２】図１２（Ａ）図は、本考案に係る角頂点保護の実施例４を表す図であり、図１２（Ｂ）図は、本考案に係る角頂点保護の実施例４を組み立てた状態を表す図である。
【図１３】図１３（Ａ）図は、本考案に係る角頂点保護の実施例５を表す図であり、図１３（Ｂ）図は、本考案に係る角頂点保護の実施例５を組み立てた状態を表す図である。
【図１４】図１４は、従来技術を表す図である。
【図１５】］図１５は、図１５（Ａ）図は、本考案に係る角頂点保護（ＡタイプかつＤタイプ）を表す図（図２）において、Ｃ１’面Ｃ１’とＣ２’面Ｃ２’を、Ａ面ＡとＢ面Ｂに一体に設けた角頂点保護（実施例６）を表した図であり、図１５（Ｂ）図は、図１５（Ａ）図で表された角頂点保護の実施例６を組み立てた状態を表す図である。
【符号の説明】
【００１０】
数字０、１、２、３、４、５、６、７、８、９、１１、１２及び０’、１’、２’、３’、４’、５’、６’、７’、８’、９’、１１’、１２’…角頂点保護１００の位置を表す。
「’」が付していない数字は、原則として、角頂点保護１００の左半分の位置を表し、「’」が付した数字は、原則として、角頂点保護１００の右半分の位置を表す。
Ａ…長方形状のＡ面部を表す。
Ｂ…長方形状のＢ面部を表す。
Ｃ１…長方形状のＣ１面部を表す。
Ｃ２…長方形状のＣ２面部を表す。
ＢＬ１…Ａ面部ＡとＢ面部Ｂからなる面とＣ１面部Ｃ１とＣ２面部Ｃ２からなる面の上下境界部の山折り線（Ａタイプの場合）を表す。
ＢＬ１…Ａ面部ＡとＢ面部Ｂからなる面とＣ１面部Ｃ１とＣ２面部Ｃ２からなる面の上下境界部の境界線（Ｂタイプの場合）を表す。
ＢＬ２…Ａ面部ＡとＢ面部Ｂの左右境界部の山折り線
ＣＬ１…Ｃ１面部Ｃ１に、山折り線ＢＬ１と角度θをなすように引かれた線０５であり、切欠部０５５’を、Ｃ１面部とＣ２面部からなる面から除去するための切断線
ＣＬ２…Ｃ２面部Ｃ２に、山折り線ＢＬ１と角度θをなすように引かれた線０７’であり、切欠部０５５’を、Ｃ１面部とＣ２面部からなる面から除去するための切断線
θ…Ｃ１面部Ｃ１、Ｃ２面部Ｃ１のそれぞれが、山折り線ＢＬ１となす角度
Ｌ１…Ａ面部Ａの切欠部を切断し除去するための切断線
Ｌ１’…Ｂ面部Ｂの切欠部を切断し除去するための切断線
Ｌ２…Ｃ１面部Ｃ１の切欠部を切断し除去するための切断線
Ｌ２’…Ｃ２面部Ｃ２の切欠部を切断し除去するための切断線
Ｌ４…切込線６７（点６と点７を結ぶ切込線）
Ｌ４’…切込線６’７’（点６’と点７’を結ぶ切込線）
１００…角頂点保護
【図５】
0003205089.tif 000003
【図６】
0003205089.tif 000004
【図７】
0003205089.tif 000005
【図８】
0003205089.tif 000006
【図１】
0003205089.tif 000007
【図２】
0003205089.tif 000008
【図３】
0003205089.tif 000009
【図４】
0003205089.tif 000010
【図９】
0003205089.tif 000011
【図１０】
0003205089.tif 000012
【図１１】
0003205089.tif 000013
【図１２】
0003205089.tif 000014
【図１３】
0003205089.tif 000015
【図１４】
0003205089.tif 000016
【図１５】
0003205089.tif 000017
【手続補正書】
【提出日】平成28年4月26日(2016.4.26)
【手続補正１】
【補正対象書類名】実用新案登録請求の範囲
【補正対象項目名】全文
【補正方法】変更
【補正の内容】
【実用新案登録請求の範囲】
【請求項１】
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることを特徴とする角頂点保護１００。
【請求項２】
Ａ面部ＡとＢ面部Ｂからなる面とＣ１面部Ｃ１とＣ２面部Ｃ２とからなる面を直角（９０°）になるよう山折り線ＢＬ１で折り曲げたことを特徴とする請求項１に記載された角頂点保護１００。
【請求項３】
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることを特徴とする請求項１〜２の何れかに記載された角頂点保護１００。
【請求項４】
Ａ面部ＡとＢ面部Ｂを山折り線ＢＬ２で角度θ°になるように折り曲げて、切込線Ｌ４と切込線Ｌ４’を交互に差込嵌合させて組み立てた場合、切込線Ｌ４と切込線Ｌ４’が重なり合うことを特徴とする請求項１〜３の何れかに記載された角頂点保護１００。
【請求項５】
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線Ｌ２、切断線Ｌ２’が、それぞれ直線又は曲線であることを特徴とする請求項１〜４の何れかに記載された角頂点保護１００。
【請求項６】
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことを特徴とする請求項１〜５の何れかに記載された角頂点保護１００。
【請求項７】
切込線Ｌ４と切込線Ｌ４’が、共に点０を中心とする円弧であることを特徴とする請求項１〜６の何れかに記載された角頂点保護１００。
【請求項８】
切込線Ｌ４と切込線Ｌ４’が、共に直線であることを特徴とする請求項１〜６の何れかに記載された角頂点保護１００。
【請求項９】
角度θが９０°であることを特徴とする請求項４に記載された角頂点保護１００。
【請求項１０】
厚板紙、段ボール、合成樹脂板等の板状シートの材料により構成されることを特徴とする請求項１〜２の何れかに記載された角頂点保護１００である。
【請求項１１】
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することを特徴とする角頂点保護１００。
【請求項１２】
Ａ面部ＡとＢ面部Ｂからなる面とＣ１面部Ｃ１とＣ２面部Ｃ２とからなる面を直角（９０°）になるよう山折り線ＢＬ１で折り曲げたことを特徴とする請求項１１に記載された角頂点保護１００。
【請求項１３】
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することを特徴とする請求項１１〜１２の何れかに記載された角頂点保護１００。
【請求項１４】
Ａ面部ＡとＢ面部Ｂを山折り線ＢＬ２で角度９０°になるように折り曲げて、切込線Ｌ６の開口部からＣ２面部Ｃ２の角部００’４’を差込嵌合させて組み立てることを特徴とする請求項１１〜１３の何れかに記載された角頂点保護１００。
【請求項１５】
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線Ｌ２、切断線Ｌ２’が、それぞれ直線又は曲線であることを特徴とする請求項１１〜１４の何れかに記載された角頂点保護１００。
【請求項１６】
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことを特徴とする請求項１１〜１５の何れかに記載された角頂点保護１００。
【請求項１７】
厚板紙、段ボール、合成樹脂板等の板状シートの材料により構成されることを特徴とする請求項１１〜１２の何れかに記載された角頂点保護１００。
【手続補正２】
【補正対象書類名】明細書
【補正対象項目名】全文
【補正方法】変更
【補正の内容】
【考案の詳細な説明】
【技術分野】
【０００１】
本考案は、角頂点保護に関する。
より詳しくは、結合の強さが、平面方向の動作のみならず、厚さ方向の動作にも強い角頂点保護に関する。
より詳しくは、嵩張らず、保管・輸送にも経済的、且つ、外形にも、曲線を交えて変化を求めることが出来る角頂点保護に関する。
【背景技術】
【０００２】
現在、製品の角（及び稜）の保護に、角頂点保護（角当て、プロテクターともいう。）として嵌合式で結合させているが、嵌合式の結合は材料の厚みで維持しており、左右方向の動作に対しては維持できるが、厚さに対する上下方向に対しては、非常に維持するのが難しい（図１４）。
【０００３】
今回考案した角頂点保護（角当て、プロテクターともいう。）はＬ型製品のみならず、平板の板紙等に、差込嵌合加工し、左右上下方向の動作にも結合を維持できるようにするものである。
【先行技術文献】
【特許文献】
【０００４】
本願考案に係る角頂点保護について、ＦＩ、キーワード検索を行ったところ、本件考案（角頂点保護）に近い考案等記載文献は、発見されませんでしたので、特許文献の記載は省略する。
【考案の概要】
【考案が解決しようとする課題】
【０００５】
○本考案が解決しようとする第１課題
本考案が解決しようとする第１課題は、
結合の強さが、平面方向の動作のみならず、厚さ方向の動作にも強い角頂点保護を提供することである。
○本考案が解決しようとする第２課題
本考案が解決しようとする第２課題は、
嵩張らず、保管・輸送にも経済的、且つ、外形にも、曲線を交えて変化を求めることが出来る角頂点保護を提供することである。
【課題を解決するための手段】
【０００６】
課題を解決するための手段は、本願の［特許請求の範囲］の各請求項に記載の考案である。
特許請求の範囲、明細書、図面等の用語の解釈上の疑義を解消すべく、以下用語の説明を行うこととする。
＜用語の説明＞
○角頂点保護１００とは、製品の角又は稜線を衝撃等から保護するための保護材をいう。角当て、プロテクターともいう。
本考案に係る、角頂点保護１００は、Ａタイプ、Ｂタイプ、Ｃタイプと、Ｄタイプとに分類される。
Ａタイプのものとは、切込線Ｌ４と切込線Ｌ４’を交互に嵌合させて組み立てるタイプのものをいう（交叉嵌合タイプともいう。）。
Ｂタイプのものとは、切込線Ｌ６の開口部からＣ２面部Ｃ２の角部００’４’を差込嵌合させて組み立てるタイプ（差込嵌合タイプともいう。）タイプのものをいう。
さらに、本考案に係る、角頂点保護１００は、材料によって、Ｃタイプと、Ｄタイプに分類される。
厚板紙、段ボール、合成樹脂板等の板状シートの材料から構成されるＣタイプのものと、Ｌ型成型品から構成されるＤタイプのものに分類される。
本考案に係る角頂点保護１００には、それぞれを組合せた、ＡタイプでＣタイプ、ＡタイプでＤタイプ、Ｂタイプがあり、ＢタイプでＣタイプ、ＢタイプでＤタイプの４タイプに分類される。
○板状シートとは、平板のように薄い平面上のものをいい、素材は、紙・プラスチック等である。
○Ｌ型成型品とは、横断面形状がＬ字型の紙・プラスチック等からなる製品である。
○長方形状のＡ面部Ａ、長方形状のＢ面部Ｂ、長方形状のＣ１面部Ｃ１、長方形状のＣ２面部Ｃ２は、角頂点保護１００を構成する構成要素である。
○山折り線とは、折り目の線が外側になるように折る際の折り目の線をいう。
○谷折り線とは、折り目の線が内側に隠れてしまうように折る際の折り目の線をいう。
○Ａ面部ＡとＢ面部Ｂからなる面とＣ１面部Ｃ１とＣ２面部Ｃ２とからなる面を直角（９０°）になるよう山折り線ＢＬ１で折り曲げたこと（Ａタイプの角頂点保護）とは、
Ａタイプの角頂点保護に対して、適用されるもので、シート状の角頂点保護１００に対して、Ａ面部ＡとＢ面部Ｂからなる面とＣ１面部Ｃ１とＣ２面部Ｃ２とからなる面を直角（９０°）になるよう山折り線ＢＬ１で折り曲げるという加工を加えれば、Ａ面部ＡとＢ面部Ｂからなる面とＣ１面部Ｃ１とＣ２面部Ｃ２からなる面が、直角（９０°）に交叉したＬ型成形品と同じ形状になることをいう。
○切断線Ｌ１で切断された切欠部とは、Ａ面部Ａにおいて、切断線Ｌ１と点２を含む切断除去部分をいう。
○切断線Ｌ１’で切断された切欠部とは、Ｂ面部Ｂにおいて、切断線Ｌ１’と点２’を含む切断除去部分をいう。
○切断線Ｌ２で切断された切欠部とは、Ｃ１面部Ｃ１において、切断線Ｌ２と点４を含む切断除去部分をいう。
○切断線Ｌ２’で切断された切欠部とは、Ｃ２面部Ｃ２において、切断線Ｌ２’と点４’を含む切断除去部分をいう。
○切断線Ｌ１で切断された切欠部、又は／及び、切断線Ｌ１’で切断された切欠部、又は／及び、切断線Ｌ２で切断された切欠部、又は／及び、切断線Ｌ２’で切断された切欠部とあるのは、上記切欠部（すなわち、上記切断線）のうち０又は１又は２以上を任意に選択してもよいことを表している。
○切込線Ｌ４と切込線Ｌ４’が、共に点０を中心とする円弧であることは、Ａ面部ＡとＢ面部Ｂを山折り線ＢＬ２で角度θになるように折り曲げて、切込線Ｌ４と切込線Ｌ４’を交互に差込嵌合させて組み立てた場合、切込線Ｌ４の端点７と切込線Ｌ４’の端点７’が重なり合うことの要件を充足するので、交互に差込嵌合させて組み立てたることが可能となる。
上記において、切込線Ｌ４の端点６と切込線Ｌ４’の端点６’が重なり合うところから始まって、切込線Ｌ４の端点６と切込線Ｌ４’の端点７’が重なる場合、切込線Ｌ４と切込線Ｌ４’が重なり合い、さらに差込んでいくと切込線Ｌ４と切込線Ｌ４’が重なり合いが少なくなって、最終的には、切込線Ｌ４の端点７と切込線Ｌ４’の端点７’が重なり合うことになる。
○切込線Ｌ４と切込線Ｌ４’が、共に直線であることは、Ａ面部ＡとＢ面部Ｂを山折り線ＢＬ２で角度θになるように折り曲げて、切込線Ｌ４と切込線Ｌ４’を交互に差込嵌合させて組み立てた場合、切込線Ｌ４の端点７と切込線Ｌ４’の端点７’が重なり合うことの要件を充足するので、交互に差込嵌合させて組み立てたることが可能となる。
上記において、切込線Ｌ４の端点６と切込線Ｌ４’の端点６’が重なり合うところから始まって、切込線Ｌ４の端点６と切込線Ｌ４’の端点７’が重なる場合、切込線Ｌ４と切込線Ｌ４’が重なり合わず交叉しており、さらに差込んでいくと切込線Ｌ４と切込線Ｌ４’が重なり合わず交叉したままであり、最終的には、切込線Ｌ４の端点７と切込線Ｌ４’の端点７’が重なり合うことになる。
したがって、差込の途中過程において、切込線Ｌ４の端点６と切込線Ｌ４’が重なり合うことが必要と思われたが、実際に実験してみて、予想外にも、差込の途中過程において、切込線Ｌ４の端点６と切込線Ｌ４’が重なり合うことは必要ではなく、最終的に、切込線Ｌ４の端点７と切込線Ｌ４’の端点７’が重なり合うことが重要な必須要件であることに、出願人は初めて気が付き、本考案（請求項８記載考案）を完成させた。
○角度θが９０°であることとは、本考案に係る角頂点保護が、切断線ＣＬ１と切断線ＣＬ２が溝を構成した場合をいう。
○厚板紙、段ボール、合成樹脂板等の板状シートの材料により構成されることとは、本考案に係る角頂点保護１００の材料を明確にする趣旨である。
○切断線Ｌ５とは、Ｃ１面部Ｃ１とＣ２面部Ｃ２の左右境界部に切断線Ｌ５に設けられた切断線をいう（Ｂタイプの角頂点保護）。
○切込線Ｌ６とは、切込線８９（点８と点９を結ぶ切込線）であり、点８から点９までＣ１面部Ｃ１の表面と裏面を貫通させた切込線をいい、
当該切込線Ｌ６の開口部からＣ２面部Ｃ２の角部００’４’を差込嵌合させて組み立てるための重要な線である。
○切込線Ｌ６の端点１１、１２が正方形００’４’’３’’の辺上に位置することとは、タイプＢの角頂点保護１００において、Ａ面部ＡとＢ面部Ｂを山折り線ＢＬ２で角度９０°になるように折り曲げて、切込線Ｌ６の開口部からＣ２面部Ｃ２の角部００’４’を差込嵌合させて組み立てるための重要な必須要件であることに、出願人は初めて気が付き、本考案（請求項１１、１３記載考案）を完成させた。
○切欠部とは、
（０）切断線ＣＬ１と切断線ＣＬ２によって、Ｃ１面部とＣ２面部からなる面から切断除去される部分（切欠部０５５’）の他、
（１）切断線Ｌ１で切断された切欠部、
（２）切断線Ｌ１’で切断された切欠部、
（３）切断線Ｌ２で切断された切欠部、
（４）切断線Ｌ２’で切断された切欠部をいう。
○面部とは、シート状で、かつ、その表面が平面である立体をいう。
○平判とは、「商品になった紙の一つの形態で，巻取りに対する語。ＪＩＳに規定された所定の寸法の長方形に切断したシート状のものをいう。」（百科事典マイペディア）
○段ボールとは、波状に成形した中心（なかしん）紙の片面または両面に厚紙をはり合わせた厚板紙をいう。
○厚板紙とは、厚板のように堅い厚手の紙をいう。
＊＊＊＊＊＊＊＊＊＊＊＊＊＊＊＊＊＊＊＊＊＊＊＊＊＊＊＊＊＊＊＊＊＊＊
＜記号の説明＞
●数字０、１、２、３、４、５、６、７、８、９、１１、１２及び０’、１’、２’、３’、４’、５’、６’、７’、８’、９’、１１’、１２’は、角頂点保護１００の位置を表す。
「  ’」が付していない数字は、原則として、角頂点保護１００の左半分の位置を表し、「  ’」が付した数字は、原則として、角頂点保護１００の右半分の位置を表す。
●Ａ…長方形状のＡ面部を表す。
●Ｂ…長方形状のＢ面部を表す。
●Ｃ１…長方形状のＣ１面部を表す。
●Ｃ２…長方形状のＣ２面部を表す。
●ＢＬ１…Ａ面部ＡとＢ面部Ｂからなる面と、Ｃ１面部Ｃ１とＣ２面部Ｃ２からなる面の上下境界部の山折り線をいう（Ａタイプの角頂点保護）。
●ＢＬ１…Ａ面部ＡとＢ面部Ｂからなる面と、Ｃ１面部Ｃ１とＣ２面部Ｃ２からなる面の上下境界部の境界線をいう（Ｂタイプの角頂点保護）。
Ｂタイプの角頂点保護においては、山折り線ＢＬ１では山折りをしないので、山折り線ＢＬ１は、相応しくないが、Ｂタイプの角頂点保護において、山折り線ＢＬ１は、「Ａ面部ＡとＢ面部Ｂからなる面と、Ｃ１面部Ｃ１とＣ２面部Ｃ２からなる面の上下境界部の境界線をいう」の意味合いを表すものとする。
●ＢＬ２…Ａ面部ＡとＢ面部Ｂの左右境界部の山折り線をいう（Ａタイプの角頂点保護、Ｂタイプの角頂点保護）。
Ａタイプの角頂点保護、Ｂタイプの角頂点保護の両方に対して、上記意味合いが生じるものとする。
●ＣＬ１…Ｃ１面部Ｃ１に、山折り線ＢＬ１と角度θをなすように引かれた線０５であり、切欠部０５５’を、Ｃ１面部とＣ２面部からなる面から除去するための切断線（直線）である。
切断線ＣＬ１と切断線ＣＬ２は、直線であり、左右対称である。
●ＣＬ２…Ｃ２面部Ｃ２に、山折り線ＢＬ１と角度θをなすように引かれた線０７’であり、切欠部０５５’を、Ｃ１面部とＣ２面部からなる面から除去するための切断線（直線）である。
切断線ＣＬ１と切断線ＣＬ２は、直線であり、左右対称である。
●切欠部０５５’とは、切断線ＣＬ１と切断線ＣＬ２によって、Ｃ１面部とＣ２面部からなる面から切断除去される部分である。
●切込線Ｌ４とは、切込線６７（点６と点７を結ぶ切込線）であり、点６から点７までＣ１面部Ｃ１の表面と裏面を貫通させた切込線をいい、切込線Ｌ４’と交叉させて嵌合させるための重要な線である。
切込線Ｌ４と切込線Ｌ４’は、直線又は曲線であり、左右対称である。
●切込線Ｌ４’とは、切込線６’７’（点６’と点７’を結ぶ切込線）であり、点６’から点７’までＣ２面部Ｃ２の表面と裏面を貫通させた切込線をいい、切込線Ｌ４’と交叉させて嵌合させるための重要な線である。
切込線Ｌ４と切込線Ｌ４’は、直線又は曲線であり、左右対称である。
●切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることを特徴とする角頂点保護１００。
●θ…Ｃ１面部Ｃ１、Ｃ２面部Ｃ１のそれぞれが、山折り線ＢＬ１となす角度をいう。θは、下式（１）式の範囲にある。
０°＜θ≦９０°…（１）
そして、Ａ面部ＡとＢ面部Ｂを山折り線ＢＬ２で折り曲げて、切込線Ｌ４と切込線Ｌ４’を交互に差込嵌合させて組み立てた場合、Ａ面部ＡとＢ面部Ｂのなす角度はθとなる。
さらに、Ａ面部ＡとＢ面部Ｂを山折り線ＢＬ２で折り曲げて、切込線Ｌ４と切込線Ｌ４’を交互に差込嵌合させて組み立てた場合、切込線Ｌ４と切込線Ｌ４’が重なり合う。
●Ｌ１…Ａ面部Ａの切欠部を切断し除去するための切断線をいう。
●Ｌ１’…Ｂ面部Ｂの切欠部を切断し除去するための切断線をいう。
●Ｌ２…Ｃ１面部Ｃ１の切欠部を切断し除去するための切断線をいう。
●Ｌ２’…Ｃ２面部Ｃ２の切欠部を切断し除去するための切断線をいう。
ただし、切断線Ｌ１、切断線Ｌ１’、切断線Ｌ２、切断線Ｌ２’を設けるかどうかは、角頂点保護１００のデザインから決定されるものであり、任意であるので、切断線Ｌ１、切断線Ｌ１’、切断線Ｌ２、切断線Ｌ２’自体、存在しない場合もある。
ここに、切断線Ｌ１、切断線Ｌ１’、切断線Ｌ２、切断線Ｌ２’は、設けられた場合、それぞれ直線又は曲線である。
通常は、上記切断線は、直線であるが、曲線であってもよい。曲線を採用することによって、嵩張らず、保管・輸送にも経済的、且つ、外形にも、曲線を交えて変化を求めることが出来る角頂点保護を提供することという第２課題を達成することができる。
●Ｃ１’…長方形状のＣ１’面を表す。Ｃ１’面とＣ１面とは合同である。
●Ｃ２’…長方形状のＣ２’面を表す。Ｃ２’面はＣ２面とは合同である。
＊＊＊＊＊＊＊＊＊＊＊＊＊＊＊＊＊＊＊＊＊＊＊＊＊＊＊＊＊＊＊＊＊＊＊
［実施例１］
本考案に係る角頂点保護１００の実施例１は、ＡタイプかつＣタイプの角頂点保護１００の実施例である。
本実施例は、図１において、角度θは９０°であり、切込線Ｌ２、Ｌ２’が円弧であると共に、切断線Ｌ１、Ｌ２、Ｌ２’は存在せず、切断線Ｌ１’は、点１と点３’を連結する直線である場合の実施例である。
本実施例は、角度θが９０°であるので、切断線３と切断線３’は、重なって１本の線になり、さらに、かかる１本の線を太くし、太くした線を溝状に切り欠いた角頂点保護１００の実施例である。
＊＊＊＊＊＊＊＊＊＊＊＊＊＊＊＊＊＊＊＊＊＊＊＊＊＊＊＊＊＊＊＊＊＊＊
［実施例２］
本考案に係る角頂点保護１００の実施例２は、ＡタイプかつＣタイプの角頂点保護１００の実施例である。
本実施例は、角度θは９０°であり、切込線Ｌ２、Ｌ２’が円弧であると共に、切断線Ｌ１、Ｌ１’Ｌ２、Ｌ２’は存在しない場合の実施例である。
本実施例は、角度θが９０°であるので、切断線３と切断線３’は、重なって１本の線になり、さらに、かかる１本の線を太くし、太くした線を溝状に切り欠いた角頂点保護１００の実施例である。
＊＊＊＊＊＊＊＊＊＊＊＊＊＊＊＊＊＊＊＊＊＊＊＊＊＊＊＊＊＊＊＊＊＊＊
［実施例３］
本考案に係る角頂点保護１００の実施例３は、ＡタイプかつＣタイプの角頂点保護１００の実施例である。
本実施例は、図１において、角度θは９０°未満であり、切込線Ｌ２、Ｌ２’が円弧であると共に、切断線Ｌ１、Ｌ１’は存在せず、切断線Ｌ２、  Ｌ２’は、曲線である場合の実施例である。
＊＊＊＊＊＊＊＊＊＊＊＊＊＊＊＊＊＊＊＊＊＊＊＊＊＊＊＊＊＊＊＊＊＊＊
［実施例４］
本考案に係る角頂点保護１００の実施例４は、ＡタイプかつＣタイプの角頂点保護１００の実施例である。
本実施例は、図１において、角度θは９０°未満であり、切込線Ｌ２、Ｌ２’が直線であると共に、切断線Ｌ１、Ｌ１’Ｌ２、Ｌ２’は存在しない場合の実施例である。
本実施例は、図切込線Ｌ２、Ｌ２’が直線であるという特徴的個性要件を具備した考案を記載した実施例である。
＊＊＊＊＊＊＊＊＊＊＊＊＊＊＊＊＊＊＊＊＊＊＊＊＊＊＊＊＊＊＊＊＊＊＊
［実施例５］
本考案に係る角頂点保護１００の実施例５は、ＢタイプかつＣタイプの角頂点保護１００の実施例である。
本実施例は、図３において、角度θは９０°であり、切込線Ｌ６の開口部からＣ２面部Ｃ２の角部００’４’を差込嵌合させると共に、切断線Ｌ１、Ｌ１’Ｌ２、Ｌ２’は存在しない場合の実施例である。
＊＊＊＊＊＊＊＊＊＊＊＊＊＊＊＊＊＊＊＊＊＊＊＊＊＊＊＊＊＊＊＊＊＊＊
［実施例６］
本考案に係る角頂点保護１００の実施例６は、ＡタイプかつＣタイプの角頂点保護１００の実施例２（図２）において、Ｃ１’面Ｃ１’とＣ２’面Ｃ２’を、Ａ面ＡとＢ面Ｂの上方に一体に設けた角頂点保護を表した図である。
本実施例に係る角頂点保護は、２つの角に当てるものである。
Ｃ１面Ｃ１とＣ２面Ｃ２及びＡ面ＡとＢ面Ｂからなる角頂点保護は一つの角に当て、Ｃ１’面Ｃ１’とＣ２’面Ｃ２’及びＡ面ＡとＢ面Ｂからなる角頂点保護はもう一つの角に当てるものである。
本実施例の角頂点保護は、２つの角に同時に当てるものである（実施例１〜５は、一つの角に当てる角頂点保護であったが、２つの角に同時に当てるものも角頂点保護という。）。
実施例６の（Ａ）図における角頂点保護の構成要素は、Ｃ１面とＣ２面と及びＡ面とＢ面及びＣ１’面とＣ２’面であるのに対して、実施例２の（Ａ）図における角頂点保護の構成要素は、Ｃ１面とＣ２面と及びＡ面とＢ面である。
実施例６と実施例２の関係は、実施例２が実施例６の部分発明の関係にある。
すなわち、実施例６を実施すれば、実施例２を実施することになる。
上記実施例２の場合と同様に考えれば、実施例１、３〜５において、Ｃ１’面Ｃ１’とＣ２’面Ｃ２’を、Ａ面ＡとＢ面Ｂの上方に一体に設けた角頂点保護を製作した場合において、当該角頂点保護を実施すれば、実施例１、３〜５を実施することになる。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜本件考案に係る角頂点保護の製作手順＞
［ＡＣ］ＡタイプかつＣタイプの角頂点保護の場合
［Ｓ１：ステップ１］切欠部０５５’を切欠く。
Ａ面部Ａ、Ｂ面部Ｂ、Ｃ１面部Ｃ１、Ｃ２面部Ｃ２からなる角頂点保護１００において、切断線ＣＬ１と切断線ＣＬ２を設けて切欠部０５５’を切欠く。
［Ｓ２：ステップ２］山折り線ＢＬ１で折り曲げる。
Ａ面部ＡとＢ面部Ｂからなる面とＣ１面部Ｃ１とＣ２面部Ｃ２とからなる面を直角（９０°）になるよう山折り線ＢＬ１で折り曲げる。
［Ｓ３：ステップ３］山折り線ＢＬ２で折り曲げて、切込線Ｌ４と切込線Ｌ４’を交互に差込嵌合させて組み立てる。
＊＊＊＊＊＊＊＊＊＊＊＊＊＊＊＊＊＊＊＊＊＊＊＊＊＊＊＊＊＊＊＊＊＊＊
［ＡＤ］ＡタイプかつＤタイプの角頂点保護の場合
［Ｓ１：ステップ１］Ｌ型成形品からなる角頂点保護１００において、切欠部０５５’を切欠く。
Ａ面部Ａ、Ｂ面部Ｂ、Ｃ１面部Ｃ１、Ｃ２面部Ｃ２のＬ型成形品からなる角頂点保護１００において、山折り線ＢＬ１を設け、切断線ＣＬ１と切断線ＣＬ２を設けて切欠部０５５’を切欠く。
［Ｓ２：ステップ２］山折り線ＢＬ１で折り曲げる工程は省略する。
Ｌ型成形品からなる角頂点保護１００において、Ａ面部ＡとＢ面部Ｂからなる面とＣ１面部Ｃ１とＣ２面部Ｃ２とからなる面を直角（９０°）にする必要がない。
［Ｓ３：ステップ３］山折り線ＢＬ２で折り曲げて、切込線Ｌ４と切込線Ｌ４’を交互に差込嵌合させて組み立てる。
＊＊＊＊＊＊＊＊＊＊＊＊＊＊＊＊＊＊＊＊＊＊＊＊＊＊＊＊＊＊＊＊＊＊＊
［ＢＣ］ＢタイプかつＣタイプの角頂点保護の場合
［Ｓ１：ステップ１］切断線Ｌ５と切込線Ｌ６を設ける。
Ａ面部Ａ、Ｂ面部Ｂ、Ｃ１面部Ｃ１、Ｃ２面部Ｃ２からなる角頂点保護１００に切断線Ｌ５を設けると共に、切込線Ｌ６を設ける。
［Ｓ２：ステップ２］山折り線ＢＬ１で折り曲げる。
Ａ面部ＡとＢ面部Ｂからなる面とＣ１面部Ｃ１とＣ２面部Ｃ２とからなる面を直角（９０°）になるよう山折り線ＢＬ１で折り曲げる。
［Ｓ３：ステップ３］山折り線ＢＬ２で折り曲げて、切込線Ｌ６の開口部からＣ２面部Ｃ２の角部００’４’を差込嵌合させて組み立てる。
＊＊＊＊＊＊＊＊＊＊＊＊＊＊＊＊＊＊＊＊＊＊＊＊＊＊＊＊＊＊＊＊＊＊＊
［ＢＤ］ＢタイプかつＤタイプの角頂点保護の場合
［Ｓ１：ステップ１］切断線Ｌ５と切込線Ｌ６を設ける。
Ａ面部Ａ、Ｂ面部Ｂ、Ｃ１面部Ｃ１、Ｃ２面部Ｃ２のＬ型成形品からなる角頂点保護１００に切断線Ｌ５を設けると共に、切込線Ｌ６を設ける。
［Ｓ２：ステップ２］山折り線ＢＬ１で折り曲げる工程は省略する。
Ｌ型成形品からなる角頂点保護１００において、Ａ面部ＡとＢ面部Ｂからなる面とＣ１面部Ｃ１とＣ２面部Ｃ２とからなる面を直角（９０°）にする必要がない。
［Ｓ３：ステップ３］山折り線ＢＬ２で折り曲げて、切込線Ｌ６の開口部からＣ２面部Ｃ２の角部００’４’を差込嵌合させて組み立てる。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
課題を解決するための手段は、本願の特許請求の範囲の各請求項に記載の考案であり、その具体的な解決手段は、以下の通りである。
○第１の考案（請求項１に記載の考案）
上記の課題を解決するための第１の考案（請求項１に記載の考案）は、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることを特徴とする角頂点保護１００である。
○第２の考案（請求項２に記載の考案）
上記の課題を解決するための第２の考案（請求項２に記載の考案）は、
Ａ面部ＡとＢ面部Ｂからなる面とＣ１面部Ｃ１とＣ２面部Ｃ２とからなる面を直角（９０°）になるよう山折り線ＢＬ１で折り曲げたことを特徴とする請求項１に記載された角頂点保護１００である。
○第３の考案（請求項３に記載の考案）
上記の課題を解決するための第３の考案（請求項３に記載の考案）は、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることを特徴とする請求項１〜２の何れかに記載された角頂点保護１００である。
○第４の考案（請求項４に記載の考案）
上記の課題を解決するための第４の考案（請求項４に記載の考案）は、
Ａ面部ＡとＢ面部Ｂを山折り線ＢＬ２で角度θ°になるように折り曲げて、切込線Ｌ４と切込線Ｌ４’を交互に差込嵌合させて組み立てた場合、切込線Ｌ４と切込線Ｌ４’が重なり合うことを特徴とする請求項１〜３の何れかに記載された角頂点保護１００である。
○第５の考案（請求項５に記載の考案）
上記の課題を解決するための第５の考案（請求項５に記載の考案）は、
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線Ｌ２、切断線Ｌ２’が、それぞれ直線又は曲線であることを特徴とする請求項１〜４の何れかに記載された角頂点保護１００である。
○第６の考案（請求項６に記載の考案）
上記の課題を解決するための第６の考案（請求項６に記載の考案）は、
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことを特徴とする請求項１〜５の何れかに記載された角頂点保護１００である。
○第７の考案（請求項７に記載の考案）
上記の課題を解決するための第７の考案（請求項７に記載の考案）は、
切込線Ｌ４と切込線Ｌ４’が、共に点０を中心とする円弧であることを特徴とする請求項１〜６の何れかに記載された角頂点保護１００である。
○第８の考案（請求項８に記載の考案）
上記の課題を解決するための第８の考案（請求項８に記載の考案）は、
切込線Ｌ４と切込線Ｌ４’が、共に直線であることを特徴とする請求項１〜６の何れかに記載された角頂点保護１００である。
○第９の考案（請求項９に記載の考案）
上記の課題を解決するための第９の考案（請求項９に記載の考案）は、
角度θが９０°であることを特徴とする請求項４に記載された角頂点保護１００である。
○第１０の考案（請求項１０に記載の考案）
上記の課題を解決するための第１０の考案（請求項１０に記載の考案）は、
厚板紙、段ボール、合成樹脂板等の板状シートの材料により構成されることを特徴とする請求項１〜２の何れかに記載された角頂点保護１００である。
○第１１の考案（請求項１１に記載の考案）
上記の課題を解決するための第１１の考案（請求項１１に記載の考案）は、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することを特徴とする角頂点保護１００である。
○第１２の考案（請求項１２に記載の考案）
上記の課題を解決するための第１２の考案（請求項１２に記載の考案）は、
Ａ面部ＡとＢ面部Ｂからなる面とＣ１面部Ｃ１とＣ２面部Ｃ２とからなる面を直角（９０°）になるよう山折り線ＢＬ１で折り曲げたことを特徴とする請求項１１に記載された角頂点保護１００である。
○第１３の考案（請求項１３に記載の考案）
上記の課題を解決するための第１３の考案（請求項１３に記載の考案）は、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することを特徴とする請求項１１〜１２の何れかに記載された角頂点保護１００である。
○第１４の考案（請求項１４に記載の考案）
上記の課題を解決するための第１４の考案（請求項１４に記載の考案）は、
Ａ面部ＡとＢ面部Ｂを山折り線ＢＬ２で角度９０°になるように折り曲げて、切込線Ｌ６の開口部からＣ２面部Ｃ２の角部００’４’を差込嵌合させて組み立てることを特徴とする請求項１１〜１３の何れかに記載された角頂点保護１００である。
○第１５の考案（請求項１５に記載の考案）
上記の課題を解決するための第１５の考案（請求項１５に記載の考案）は、
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線Ｌ２、切断線Ｌ２’が、それぞれ直線又は曲線であることを特徴とする請求項１１〜１４の何れかに記載された角頂点保護１００である。
○第１６の考案（請求項１６に記載の考案）
上記の課題を解決するための第１６の考案（請求項１６に記載の考案）は、
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことを特徴とする請求項１１〜１５の何れかに記載された角頂点保護１００である。
○第１７の考案（請求項１７に記載の考案）
上記の課題を解決するための第１７の考案（請求項１７に記載の考案）は、
厚板紙、段ボール、合成樹脂板等の板状シートの材料により構成されることを特徴とする請求項１１〜１２の何れかに記載された角頂点保護１００である。
【考案の効果】
【０００７】
本考案に係る角頂点保護１００では、上記のような特徴的構成要件から構成され、特徴的構成要件に応じた、以下のような本願考案特有の効果を奏する。
また、上記の各考案に応じた、上記のような特徴的構成要件から構成された角頂点保護１００によれば、本願考案の課題を十分解消することができた。
○第１の考案の効果
第１の考案によれば、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることという特徴的な構成要件により、本考案が解決しようとする第１課題〜第２課題を達成することができ、当業者予測不可能な顕著な効果を奏することができた。
○第２の考案の効果
第２の考案によれば、
Ａ面部ＡとＢ面部Ｂからなる面とＣ１面部Ｃ１とＣ２面部Ｃ２とからなる面を直角（９０°）になるよう山折り線ＢＬ１で折り曲げたことという特徴的な構成要件により、本考案が解決しようとする第１課題〜第２課題を達成することができ、当業者予測不可能な顕著な効果を奏することができた。
○第３の考案の効果
第３の考案によれば、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることという特徴的な構成要件により、本考案が解決しようとする第１課題〜第２課題を達成することができ、当業者予測不可能な顕著な効果を奏することができた。
○第４の考案の効果
第４の考案によれば、
Ａ面部ＡとＢ面部Ｂを山折り線ＢＬ２で角度θ°になるように折り曲げて、切込線Ｌ４と切込線Ｌ４’を交互に差込嵌合させて組み立てた場合、切込線Ｌ４と切込線Ｌ４’が重なり合うことという特徴的な構成要件により、本考案が解決しようとする第１課題〜第２課題を達成することができ、当業者予測不可能な顕著な効果を奏することができた。
○第５の考案の効果
第５の考案によれば、
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線Ｌ２、切断線Ｌ２’が、それぞれ直線又は曲線であることという特徴的な構成要件により、本考案が解決しようとする第１課題〜第２課題を達成することができ、当業者予測不可能な顕著な効果を奏することができた。
○第６の考案の効果
第６の考案によれば、
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことという特徴的な構成要件により、本考案が解決しようとする第１課題〜第２課題を達成することができ、当業者予測不可能な顕著な効果を奏することができた。
○第７の考案の効果
第７の考案によれば、
切込線Ｌ４と切込線Ｌ４’が、共に点０を中心とする円弧であることという特徴的な構成要件により、本考案が解決しようとする第１課題〜第２課題を達成することができ、当業者予測不可能な顕著な効果を奏することができた。
○第８の考案の効果
第８の考案によれば、
切込線Ｌ４と切込線Ｌ４’が、共に直線であることという特徴的な構成要件により、本考案が解決しようとする第１課題〜第２課題を達成することができ、当業者予測不可能な顕著な効果を奏することができた。
○第９の考案の効果
第９の考案によれば、
角度θが９０°であることという特徴的な構成要件により、本考案が解決しようとする第１課題〜第２課題を達成することができ、当業者予測不可能な顕著な効果を奏することができた。
○第１０の考案の効果
第１０の考案によれば、
厚板紙、段ボール、合成樹脂板等の板状シートの材料により構成されることという特徴的な構成要件により、本考案が解決しようとする第１課題〜第２課題を達成することができ、当業者予測不可能な顕著な効果を奏することができた。
○第１１の考案の効果
第１１の考案によれば、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することという特徴的な構成要件により、本考案が解決しようとする第１課題〜第２課題を達成することができ、当業者予測不可能な顕著な効果を奏することができた。
○第１２の考案の効果
第１２の考案によれば、
Ａ面部ＡとＢ面部Ｂからなる面とＣ１面部Ｃ１とＣ２面部Ｃ２とからなる面を直角（９０°）になるよう山折り線ＢＬ１で折り曲げたことという特徴的な構成要件により、本考案が解決しようとする第１課題〜第２課題を達成することができ、当業者予測不可能な顕著な効果を奏することができた。
○第１３の考案の効果
第１３の考案によれば、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することという特徴的な構成要件により、本考案が解決しようとする第１課題〜第２課題を達成することができ、当業者予測不可能な顕著な効果を奏することができた。
○第１４の考案の効果
第１４の考案によれば、
Ａ面部ＡとＢ面部Ｂを山折り線ＢＬ２で角度９０°になるように折り曲げて、切込線Ｌ６の開口部からＣ２面部Ｃ２の角部００’４’を差込嵌合させて組み立てることという特徴的な構成要件により、本考案が解決しようとする第１課題〜第２課題を達成することができ、当業者予測不可能な顕著な効果を奏することができた。
○第１５の考案の効果
第１５の考案によれば、
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線Ｌ２、切断線Ｌ２’が、それぞれ直線又は曲線であることという特徴的な構成要件により、本考案が解決しようとする第１課題〜第２課題を達成することができ、当業者予測不可能な顕著な効果を奏することができた。
○第１６の考案の効果
第１６の考案によれば、
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことという特徴的な構成要件により、本考案が解決しようとする第１課題〜第２課題を達成することができ、当業者予測不可能な顕著な効果を奏することができた。
○第１７の考案の効果
第１７の考案によれば、
厚板紙、段ボール、合成樹脂板等の板状シートの材料により構成されることという特徴的な構成要件により、本考案が解決しようとする第１課題〜第２課題を達成することができ、当業者予測不可能な顕著な効果を奏することができた。
【考案を実施するための最良の形態】
【０００８】
以下、本考案に係る、角頂点保護１００に関する最良の実施形態について、図面を参照しながら説明する。
［図１］図１は、本考案に係る角頂点保護（ＡタイプかつＣタイプ）を表す図である。
［図２］図２は、本考案に係る角頂点保護（ＡタイプかつＤタイプ）を表す図である。
［図３］図３は、本考案に係る角頂点保護（ＢタイプかつＣタイプ）を表す図である。
［図４］図４は、本考案に係る角頂点保護（ＢタイプかつＤタイプ）を表す図である。
［図５］図５は、本考案に係る角頂点保護（ＡタイプかつＣタイプ）の製作手順を表すフローチャートである。
［図６］図６は、本考案に係る角頂点保護（ＡタイプかつＤタイプ）の製作手順を表すフローチャートである。
［図７］図７は、本考案に係る角頂点保護（ＢタイプかつＣタイプ）の製作手順を表すフローチャートである。
［図８］図８は、本考案に係る角頂点保護（ＢタイプかつＤタイプ）の製作手順を表すフローチャートである。
［図９］図９（Ａ）図は、本考案に係る角頂点保護の実施例１を表す図であり、図９（Ｂ）図は、本考案に係る角頂点保護の実施例１を組み立てた状態を表す図である。
［図１０］図１０（Ａ）図は、本考案に係る角頂点保護の実施例２を表す図であり、図１０（Ｂ）図は、本考案に係る角頂点保護の実施例２を組み立てた状態を表す図である。
［図１１］図１１（Ａ）図は、本考案に係る角頂点保護の実施例３を表す図であり、図１１（Ｂ）図は、本考案に係る角頂点保護の実施例３を組み立てた状態を表す図である。
［図１２］図１２（Ａ）図は、本考案に係る角頂点保護の実施例４を表す図であり、図１２（Ｂ）図は、本考案に係る角頂点保護の実施例４を組み立てた状態を表す図である。
［図１３］図１３（Ａ）図は、本考案に係る角頂点保護の実施例５を表す図であり、図１３（Ｂ）図は、本考案に係る角頂点保護の実施例５を組み立てた状態を表す図である。
［図１４］図１４は、従来技術を表す図である。
［図１５］図１５は、図１５（Ａ）図は、本考案に係る角頂点保護（ＡタイプかつＤタイプ）を表す図（図２）において、Ｃ１’面Ｃ１’とＣ２’面Ｃ２’を、Ａ面ＡとＢ面Ｂに一体に設けた角頂点保護（実施例６）を表した図であり、図１５（Ｂ）図は、図１５（Ａ）図で表された角頂点保護の実施例６を組み立てた状態を表す図である。
以下、本考案に係る、角頂点保護１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることを特徴とする角頂点保護１００が開示されている。
○第１の考案の効果
第１の考案によれば、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることという特徴的な構成要件により、本考案が解決しようとする第１課題〜第２課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
Ａ面部ＡとＢ面部Ｂからなる面とＣ１面部Ｃ１とＣ２面部Ｃ２とからなる面を直角（９０°）になるよう山折り線ＢＬ１で折り曲げたことを特徴とする請求項１に記載された角頂点保護１００が開示されている。
○第２の考案の効果
第２の考案によれば、
Ａ面部ＡとＢ面部Ｂからなる面とＣ１面部Ｃ１とＣ２面部Ｃ２とからなる面を直角（９０°）になるよう山折り線ＢＬ１で折り曲げたことという特徴的な構成要件により、本考案が解決しようとする第１課題〜第２課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることを特徴とする請求項１〜２の何れかに記載された角頂点保護１００が開示されている。
○第３の考案の効果
第３の考案によれば、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２に、それぞれ切断線ＣＬ１と切断線ＣＬ２を設けて切欠部０５５’を切欠いてなると共に、それぞれ切込線Ｌ４と切込線Ｌ４’を設けてなり、切込線Ｌ４と切込線Ｌ４’は、直線又は曲線であり、左右対称であることという特徴的な構成要件により、本考案が解決しようとする第１課題〜第２課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
Ａ面部ＡとＢ面部Ｂを山折り線ＢＬ２で角度θ°になるように折り曲げて、切込線Ｌ４と切込線Ｌ４’を交互に差込嵌合させて組み立てた場合、切込線Ｌ４と切込線Ｌ４’が重なり合うことを特徴とする請求項１〜３の何れかに記載された角頂点保護１００が開示されている。
○第４の考案の効果
第４の考案によれば、
Ａ面部ＡとＢ面部Ｂを山折り線ＢＬ２で角度θ°になるように折り曲げて、切込線Ｌ４と切込線Ｌ４’を交互に差込嵌合させて組み立てた場合、切込線Ｌ４と切込線Ｌ４’が重なり合うことという特徴的な構成要件により、本考案が解決しようとする第１課題〜第２課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線Ｌ２、切断線Ｌ２’が、それぞれ直線又は曲線であることを特徴とする請求項１〜４の何れかに記載された角頂点保護１００が開示されている。
○第５の考案の効果
第５の考案によれば、
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線Ｌ２、切断線Ｌ２’が、それぞれ直線又は曲線であることという特徴的な構成要件により、本考案が解決しようとする第１課題〜第２課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことを特徴とする請求項１〜５の何れかに記載された角頂点保護１００が開示されている。
○第６の考案の効果
第６の考案によれば、
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことという特徴的な構成要件により、本考案が解決しようとする第１課題〜第２課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
切込線Ｌ４と切込線Ｌ４’が、共に点０を中心とする円弧であることを特徴とする請求項１〜６の何れかに記載された角頂点保護１００が開示されている。
○第７の考案の効果
第７の考案によれば、
切込線Ｌ４と切込線Ｌ４’が、共に点０を中心とする円弧であることという特徴的な構成要件により、本考案が解決しようとする第１課題〜第２課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
切込線Ｌ４と切込線Ｌ４’が、共に直線であることを特徴とする請求項１〜６の何れかに記載された角頂点保護１００が開示されている。
○第８の考案の効果
第８の考案によれば、
切込線Ｌ４と切込線Ｌ４’が、共に直線であることという特徴的な構成要件により、本考案が解決しようとする第１課題〜第２課題を達成することができ、当業者予測不可能な顕著な効果を奏することができた。
９９９９９＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
角度θが９０°であることを特徴とする請求項４に記載された角頂点保護１００が開示されている。
○第９の考案の効果  第９の考案によれば、
角度θが９０°であることという特徴的な構成要件により、本考案が解決しようとする第１課題〜第２課題を達成することができ、当業者予測不可能な顕著な効果を奏することができた。
０００００＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
厚板紙、段ボール、合成樹脂板等の板状シートの材料により構成されることを特徴とする請求項１〜２の何れかに記載された角頂点保護１００が開示されている。
○第１０の考案の効果
第１０の考案によれば、
厚板紙、段ボール、合成樹脂板等の板状シートの材料により構成されることという特徴的な構成要件により、本考案が解決しようとする第１課題〜第２課題を達成することができ、当業者予測不可能な顕著な効果を奏することができた。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することを特徴とする角頂点保護１００が開示されている。
○第１１の考案の効果
第１１の考案によれば、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面と、Ｃ１面部Ｃ１とＣ２面部Ｃ２からなる面の上下境界部に山折り線ＢＬ１を設け、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することという特徴的な構成要件により、本考案が解決しようとする第１課題〜第２課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
Ａ面部ＡとＢ面部Ｂからなる面とＣ１面部Ｃ１とＣ２面部Ｃ２とからなる面を直角（９０°）になるよう山折り線ＢＬ１で折り曲げたことを特徴とする請求項１１に記載された角頂点保護１００が開示されている。
○第１２の考案の効果
第１２の考案によれば、
Ａ面部ＡとＢ面部Ｂからなる面とＣ１面部Ｃ１とＣ２面部Ｃ２とからなる面を直角（９０°）になるよう山折り線ＢＬ１で折り曲げたことという特徴的な構成要件により、本考案が解決しようとする第１課題〜第２課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することを特徴とする請求項１１〜１２の何れかに記載された角頂点保護１００が開示されている。
○第１３の考案の効果
第１３の考案によれば、
長方形状のＡ面部Ａ、長方形状のＢ面部Ｂ、長方形状のＣ１面部Ｃ１、長方形状のＣ２面部Ｃ２とからなり、Ａ面部ＡとＢ面部Ｂからなる面とＣ１面部Ｃ１とＣ２面部Ｃ２からなる面が、直角（９０°）に交叉したＬ型成形品からなり、Ａ面部ＡとＢ面部Ｂの左右境界部に山折り線ＢＬ２を設けた角頂点保護１００において、Ｃ１面部Ｃ１とＣ２面部Ｃ２の左右境界部に切断線Ｌ５を設けると共に、切込線Ｌ６を設けてなり、切込線Ｌ６の端点１１、１２が正方形００’４’’３’’の辺上に位置することという特徴的な構成要件により、本考案が解決しようとする第１課題〜第２課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
Ａ面部ＡとＢ面部Ｂを山折り線ＢＬ２で角度９０°になるように折り曲げて、切込線Ｌ６の開口部からＣ２面部Ｃ２の角部００’４’を差込嵌合させて組み立てることを特徴とする請求項１１〜１３の何れかに記載された角頂点保護１００が開示されている。
○第１４の考案の効果
第１４の考案によれば、
Ａ面部ＡとＢ面部Ｂを山折り線ＢＬ２で角度９０°になるように折り曲げて、切込線Ｌ６の開口部からＣ２面部Ｃ２の角部００’４’を差込嵌合させて組み立てることという特徴的な構成要件により、本考案が解決しようとする第１課題〜第２課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線Ｌ２、切断線Ｌ２’が、それぞれ直線又は曲線であることを特徴とする請求項１１〜１４の何れかに記載された角頂点保護１００が開示されている。
○第１５の考案の効果
第１５の考案によれば、
Ａ面部Ａに切断線Ｌ１を設け、又は／及び、Ｂ面部Ｂに切断線Ｌ１’を設け、又は／及び、Ｃ１面部Ｃ１に切断線Ｌ２を設け、又は／及び、Ｃ２面部Ｃ２に切断線Ｌ２’を設けてなり、切断線Ｌ１、切断線Ｌ１’、切断線Ｌ２、切断線Ｌ２’が、それぞれ直線又は曲線であることという特徴的な構成要件により、本考案が解決しようとする第１課題〜第２課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことを特徴とする請求項１１〜１５の何れかに記載された角頂点保護１００が開示されている。
○第１６の考案の効果
第１６の考案によれば、
切断線Ｌ１で切断された切欠部、切断線Ｌ１’で切断された切欠部、又は／及び、切断線Ｌ２で切断された切欠部、又は／及び、切断線Ｌ２’で切断された切欠部が、切除されたことという特徴的な構成要件により、本考案が解決しようとする第１課題〜第２課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の角頂点保護１００において、
厚板紙、段ボール、合成樹脂板等の板状シートの材料により構成されることを特徴とする請求項１１〜１２の何れかに記載された角頂点保護１００が開示されている。
○第１７の考案の効果
第１７の考案によれば、
厚板紙、段ボール、合成樹脂板等の板状シートの材料により構成されることという特徴的な構成要件により、本考案が解決しようとする第１課題〜第２課題を達成することができ、当業者予測不可能な顕著な効果を奏することができた。
【図面の簡単な説明】
【０００９】
【図１】図１は、本考案に係る角頂点保護（ＡタイプかつＣタイプ）を表す図である。
【図２】図２は、本考案に係る角頂点保護（ＡタイプかつＤタイプ）を表す図である。
【図３】図３は、本考案に係る角頂点保護（ＢタイプかつＣタイプ）を表す図である。
【図４】図４は、本考案に係る角頂点保護（ＢタイプかつＤタイプ）を表す図である。
【図５】図５は、本考案に係る角頂点保護（ＡタイプかつＣタイプ）の製作手順を表すフローチャートである。
【図６】図６は、本考案に係る角頂点保護（ＡタイプかつＤタイプ）の製作手順を表すフローチャートである。
【図７】図７は、本考案に係る角頂点保護（ＢタイプかつＣタイプ）の製作手順を表すフローチャートである。
【図８】図８は、本考案に係る角頂点保護（ＢタイプかつＤタイプ）の製作手順を表すフローチャートである。
【図９】図９（Ａ）図は、本考案に係る角頂点保護の実施例１を表す図であり、図９（Ｂ）図は、本考案に係る角頂点保護の実施例１を組み立てた状態を表す図である。
【図１０】図１０（Ａ）図は、本考案に係る角頂点保護の実施例２を表す図であり、図１０（Ｂ）図は、本考案に係る角頂点保護の実施例２を組み立てた状態を表す図である。
【図１１】図１１（Ａ）図は、本考案に係る角頂点保護の実施例３を表す図であり、図１１（Ｂ）図は、本考案に係る角頂点保護の実施例３を組み立てた状態を表す図である。
【図１２】図１２（Ａ）図は、本考案に係る角頂点保護の実施例４を表す図であり、図１２（Ｂ）図は、本考案に係る角頂点保護の実施例４を組み立てた状態を表す図である。
【図１３】図１３（Ａ）図は、本考案に係る角頂点保護の実施例５を表す図であり、図１３（Ｂ）図は、本考案に係る角頂点保護の実施例５を組み立てた状態を表す図である。
【図１４】図１４は、従来技術を表す図である。
【図１５】］図１５は、図１５（Ａ）図は、本考案に係る角頂点保護（ＡタイプかつＤタイプ）を表す図（図２）において、Ｃ１’面Ｃ１’とＣ２’面Ｃ２’を、Ａ面ＡとＢ面Ｂに一体に設けた角頂点保護（実施例６）を表した図であり、図１５（Ｂ）図は、図１５（Ａ）図で表された角頂点保護の実施例６を組み立てた状態を表す図である。
【符号の説明】
【００１０】
数字０、１、２、３、４、５、６、７、８、９、１１、１２及び０’、１’、２’、３’、４’、５’、６’、７’、８’、９’、１１’、１２’…角頂点保護１００の位置を表す。
「’」が付していない数字は、原則として、角頂点保護１００の左半分の位置を表し、「’」が付した数字は、原則として、角頂点保護１００の右半分の位置を表す。
Ａ…長方形状のＡ面部を表す。
Ｂ…長方形状のＢ面部を表す。
Ｃ１…長方形状のＣ１面部を表す。
Ｃ２…長方形状のＣ２面部を表す。
ＢＬ１…Ａ面部ＡとＢ面部Ｂからなる面とＣ１面部Ｃ１とＣ２面部Ｃ２からなる面の上下境界部の山折り線（Ａタイプの場合）を表す。
ＢＬ１…Ａ面部ＡとＢ面部Ｂからなる面とＣ１面部Ｃ１とＣ２面部Ｃ２からなる面の上下境界部の境界線（Ｂタイプの場合）を表す。
ＢＬ２…Ａ面部ＡとＢ面部Ｂの左右境界部の山折り線
ＣＬ１…Ｃ１面部Ｃ１に、山折り線ＢＬ１と角度θをなすように引かれた線０５であり、切欠部０５５’を、Ｃ１面部とＣ２面部からなる面から除去するための切断線
ＣＬ２…Ｃ２面部Ｃ２に、山折り線ＢＬ１と角度θをなすように引かれた線０７’であり、切欠部０５５’を、Ｃ１面部とＣ２面部からなる面から除去するための切断線
θ…Ｃ１面部Ｃ１、Ｃ２面部Ｃ１のそれぞれが、山折り線ＢＬ１となす角度
Ｌ１…Ａ面部Ａの切欠部を切断し除去するための切断線
Ｌ１’…Ｂ面部Ｂの切欠部を切断し除去するための切断線
Ｌ２…Ｃ１面部Ｃ１の切欠部を切断し除去するための切断線
Ｌ２’…Ｃ２面部Ｃ２の切欠部を切断し除去するための切断線
Ｌ４…切込線６７（点６と点７を結ぶ切込線）
Ｌ４’…切込線６’７’（点６’と点７’を結ぶ切込線）
１００…角頂点保護